【事件の表示】
　特許第２９９８０７５号「反射型液晶表示装置」の請求項１ないし５、１２、１４ないし２５に係る特許に対する特許異議の申立てについて、次のとおり決定する。
【結　論】
　訂正を認める。
　本件特許異議の申立てを却下する。
【理　由】
１．手続の経緯
　本件特許第2998075号の特許請求の範囲の請求項1〜5、12及び14〜25に係る発明は、平成9年5月29日に特許出願（国内優先権主張、特願平8-160302号（平成8年6月20日出願）、特願平8-186396号（平成8年7月16日出願）、特願平8-175261号（平成8年7月4日出願））され、平成11年11月5日に設定登録され、その後、特許異議の申立がなされ、取消理由通知がなされ、その指定期間内である平成12年11月27日に訂正請求がなされたものである。
２．訂正の適否について
　ア．訂正の内容
　本件特許明細書の特許請求の範囲のもとの請求項1〜5、8、11、12及び14〜25を削除し、もとの請求項13を請求項1に、もとの請求項6を請求項2に、もとの請求項7を請求項3に、もとの請求項9を請求項4に、そして、もとの請求項10を請求項5に、それぞれ訂正する。
　イ．訂正の目的の適否、新規事項の有無及び拡張・変更の存否
　上記訂正は、特許請求の範囲の減縮に該当し、新規事項の追加に該当せず、実質的に特許請求の範囲を拡張又は変更するものではない。
　ウ．むすび
　以上のとおり、上記訂正請求は、特許法第120条の4第2項及び同条第3項で準用する第126条第2項及び第3項の規定に適合するので、当該訂正を認める。
３．特許異議申立について
　ア．特許異議申立の概要
　特許異議申立人 株式会社ディスクは、証拠として甲第1〜11号証を提出し、本件特許明細書の特許請求の範囲のもとの請求項1〜5、12及び14〜25は、特許法第29条第1項第3号に該当して、若しくは、同法同条第2項の規定に違反して特許されたものであるから、それらの特許は取り消されるべき旨主張している。
　イ．当審の判断
　本件特許明細書の特許請求の範囲のもとの請求項1〜5、12及び14〜25に係る発明は、訂正の結果削除され、異議申立の対象が存在しないので、この特許異議の申立は、不適法な申立であって、その補正をすることができないものである。
　ウ．むすび
　したがって、本件特許異議の申立は、特許法第120条の6第1項で準用する第135条の規定によって却下すべきものである。
　よって、結論のとおり決定する。
【異議決定日】
平成１３年１月１５日（２００１．１．１５）
【訂正の要旨】
訂正事項
　ａ．第２９９８０７５号発明の明細書中の特許請求の範囲の請求項においてもとの請求項１−５、８、１１、１２、１４−２５を削除し、もとの請求項１３を請求項１に、もとの請求項６を請求項２に、もとの請求項７を請求項３に、もとの請求項９を請求項４に、もとの請求項１０を請求項５に、訂正します。
（５４）【発明の名称】
反射型液晶表示装置
（５７）【特許請求の範囲】
　【請求項１】　少なくとも一方が透明な電極である一対の電極面の間に光変調層を設けた反射型液晶表示装置において、
　前記光変調層が前記電極面間に印加される電圧により光散乱状態又は光透過状態に制御されるとともに、前記光変調層の背後に設けられた色分離層と、前記色分離層の背後に設けられた反射層と、を備え、
　前記色分離層は、可視光領域の特定波長範囲の光と３７０ｎｍから４００ｎｍの波長領域の紫外線を透過させると共に、その他の光を反射させる特性を有する誘電体多層薄膜より構成されていることを特徴とする反射型液晶表示装置。
　【請求項２】　少なくとも一方が透明な電極である一対の電極面の間に光変調層を設けた反射型液晶表示装置において、
　前記光変調層が前記電極面間に印加される電圧により光散乱状態又は光透過状態に制御されるとともに、前記光変調層の背後に設けられた色分離層と、前記色分離層の背後に設けられた反射層と、を備え、
　前記色分離層は、可視光領域の特定波長範囲の右円偏光を選択的に反射するコレステリック液晶ポリマー層と前記特定波長範囲と同じ波長の左円偏光を選択的に反射するコレステリック液晶ポリマー層とを両者の光軸が平行になる様に配置した構成を反射基本単位とすることを特徴とする反射型液晶表示装置。
　【請求項３】　前記色分離層は、可視光領域の特定波長範囲の右円偏光を選択的に反射するコレステリック液晶ポリマー層と前記特定波長範囲と同じ波長の左円偏光を選択的に反射するコレステリック液晶ポリマー層とを両者の光軸が平行になる様に配置した構成を反射基本単位とし、可視光領域の互いに異なる選択反射波長範囲を有するコレステリック液晶ポリマー層の反射基本単位の領域を同一平面上に複数有することを特徴とする請求項２に記載の反射型液晶表示装置。
　【請求項４】　少なくとも一方が透明な電極である一対の電極面の間に光変調層を設けた反射型液晶表示装置において、
　前記光変調層が前記電極面間に印加される電圧により光散乱状態又は光透過状態に制御されるとともに、前記光変調層の背後に設けられた色分離層と、前記色分離層の背後に設けられた反射層と、を備え、
　前記色分離層は、光軸を平行にして重ねられた可視光領域の特定同一波長範囲の同じ回転方向の円偏光を選択的に反射する２枚のコレステリック液晶ポリマー層の間に、該特定同一波長範囲の光の位相を１８０度変換する変換素子を挟んだ構成を反射基本単位とし、可視光領域の互いに異なる選択反射波長範囲を有するコレステリック液晶ポリマー層の反射基本単位を少なくとも１つ以上積層して成ることを特徴とする反射型液晶表示装置。
　【請求項５】　前記色分離層は、光軸を平行にして重ねられた可視光領域の特定同一波長範囲の同じ回転方向の円偏光を選択的に反射する２枚のコレステリック液晶ポリマー層の間に、該特定同一波長範囲の光の位相を１８０度変換する変換素子を挟んだ構成を反射基本単位とし、可視光領域の互いに異なる選択反射波長範囲を有するコレステリック液晶ポリマー層の反射基本単位の領域を同一平面上に複数有することを特徴とする請求項４に記載の反射型液晶表示装置。
【発明の詳細な説明】
　【０００１】
　　【発明の属する技術分野】
　本発明は、光散乱型の液晶表示素子を用い、ペーパーホワイトの様な白く明るくしかも美観に優れたカラー表示が可能で、さらに低電圧でかつ低電流駆動動作可能な反射型液晶表示装置に関するものであり、時計、携帯電話や携帯情報端末などに利用される。
　【０００２】
　　【従来技術】
　液晶表示装置は、薄型で消費電力が少ない等の多くの優れた特徴を有するために色々な用途の機器の表示パネルとして多用されている。
　従来から、液晶表示素子の一般的な表示モードとして、ＴＮ（ツイステッド・ネマチック）モードやＳＴＮ（スーパー・ツイストテッド・ネマチック）モードに代表されるような偏光板を１枚ないし２枚用いて液晶による複屈折や旋光性を利用した方式のものがある。ＴＮモードやＳＴＮモードの光の利用効率は、偏光板による光の吸収損失があるため理論的には５０％以下となり、表示が暗くなってしまう。
　【０００３】
　一方、相転移モードや高分子分散モードなどに代表されるような偏光板を使用せず液晶による光散乱性を利用した表示方式がある。これら光散乱モードは偏光板が不要なため、偏光板による光の吸収損失を生ぜず、光を有効に利用できるため、明るい表示が可能となる。
　高分子分散型液晶表示パネルは、液晶材料と高分子材料とを相分離させて高分子層の中に液晶を小滴粒状または微小な連続相として分散させた構造した変調層を有し、電界の有無により散乱状態と透明状態を切り替えて画像表示を可能としている。例えば、高分子分散型液晶パネルとしては、特公平３−５２８４３号公報、公表昭６３−５０１５１２号公報、特表昭６１−６１５０２１８号公報などが知られている。
　【０００４】
　これら光散乱モード液晶パネルをカラー化するために、各種鏡や光吸収板を配置する方法が提案されている。例えば、動的散乱モードの光散乱型変調層の背後に非金属多重薄膜（干渉フィルタ）と低明度背景基板（有色背景板）を配置した特開昭５０−２０７４９号公報が知られており、また同様なものとして、相転移型や動的散乱モードの表示体層の背後にダイクロイックミラーと明色散乱反射板を配置した特開昭５９−１０９２４号公報が知られている。さらに、高分子分散型液晶層の前面にカラーフィルタを配置し、かつ該液晶層の背後に選択反射層（干渉フィルタ）と白色または該選択反射層の透過光色を反射する散乱反射層を配置した特開平７−１５２０２９号公報が知られている。これらの技術に共通した点は、光散乱モード表示素子の後方に、非金属多重薄膜やダイクロイックミラー、選択反射層などのいわゆる干渉フィルタを配置し、さらに該干渉フィルタの背後に紙や塗料などの散乱反射板を配置するものであり、さらに、光散乱モード表示素子の前面にカラーフィルタを配置するものである。そして、光散乱モード表示素子には動的散乱モード（ＤＳＭ）や相転移モードや高分子分散モードなどの光散乱モード液晶が使用されている。
　【０００５】
　　【発明が解決しようとする課題】
　しかしながら、特開昭５０−２０７４９号公報、特開昭５９−１０９２４号公報や特開平７−１５２０２９号公報に記載の表示装置には、以下のような課題を有している。
　第一に、従来の液晶表示装置には、光散乱モード表示素子として動的散乱モード（ＤＳＭ）や相転移モード（ＰＣＭ）や高分子分散モードなどの光散乱モード液晶が使用されている。
　【０００６】
　動的散乱モードの液晶表示素子に関しては、電流駆動であり、一般的なＴＮモードやＳＴＮモードに比較して、その消費電流は１０倍〜１００倍であり、また動的散乱モード自身の信頼性にも問題があった。従って、従来の動的散乱モードの液晶表示装置が時計や小型携帯機器などの様なバッテリー寿命を特に重視する機器類に搭載されることは困難であった。
　【０００７】
　相転移モードの液晶表示素子に関しては、散乱状態に熱白濁を使用する事がある。この熱白濁は、外部応力や熱サイクルなどの影響で著しく劣化するという問題があった。従って、従来の相転移モードの液晶表示装置が、時計などの小型携帯機器に搭載され実用化されることは困難であった。
　高分子分散モードの液晶表示素子には、従来より、低分子のネマチック液晶が高分子のマイクロカプセルに包含されたマイクロカプセル化構造の液晶表示素子や低分子のネマチック液晶が多孔質体の高分子マトリクスに包含された高分子マトリクス構造の液晶表示素子があるが、これら高分子の中に液晶ドロップレットが配置された構造の高分子分散型液晶表示素子では、液晶ドロップレットの高分子壁面に沿って液晶分子が並び、この高分子壁面近傍の液晶分子は高分子壁面の影響を強く受ける。この為、電圧を印加しても、なかなか電界方向に配列することが出来ず、ある角度をもって配列するので、斜め入射光に対しては、液晶分子の長軸方向の屈折率と高分子の屈折率に不一致が生じ、少し散乱が残ることは避けられなかった。その結果、非常に高い電圧を印加しないと良好な透明状態が得られないと言う問題があった。また、散乱性を上げる為にセルギャップを厚くすると、電圧印加状態の時、斜め入射光に少し散乱が生じ易くなる為、表示色が白く濁り鮮やかな色再現が出来なくなり、コントラストが取れなくなる。また、ドロップレットタイプの高分子分散型液晶表示素子では、駆動電圧を低電圧化する一法として、セルギャップを薄くする方法があるが、しかし、例えばセルギャップを１０μｍ以下にした場合、散乱状態がかなり悪化し実用レベルに達しない散乱状態となる。故に、ドロップレットタイプの高分子分散型液晶表示素子では、充分な散乱状態と透明状態を両立させ、良好なコントラストを実現させることは困難であった。従って、従来のドロップレットタイプの高分子分散型液晶表示素子が、時計などの低電圧・低消費電カタイブの小型携帯機器に搭載され実用化されることは難しかった。
　【０００８】
　第二に、上記の様な従来の光散乱モードの液晶表示素子、例えば、動的散乱モード（ＤＳＭ）、相転移モード（ＰＣＭ）、及びドロップレットタイプの高分子分散モードなどを光変調層として使用し、背後に干渉フィルタと散乱性反射層を配置した構造の液晶表示装置の場合、光散乱層の散乱特性が弱い為、電圧無印加状態の時（即ち、散乱状態の時）は、色分離層を透過した光が散乱反射層で散乱反射されるが、この散乱反射光の影響が大きいので、散乱状態の領域は色分離層の透過光と同色系に着色した状態となり、ペーパーホワイトの様な白さが実現できないといった問題、即ち、本来白い背景色であるはずが着色してしまうといった問題があった。また、色の視角依存性も大きいといった問題もあった。
　【０００９】
　さらにまた、ドロップレットタイプの高分子分散型液晶層を光変調層として使用し、背後に干渉フィルタと、反射層としてミラー層を配置した構造の反射型液晶表示装置の場合、電圧印加状態の時（即ち、透明状態の時）は、液晶分子がなかなか電界方向に配列することが出来ず、ある角度をもって配列するため、液晶分子の長軸方向の屈折率と高分子の屈折率に不一致が生じ、散乱が少し残るので、正反射光がある幅で拡散してしまい、見難い範囲が広がり、同時に、色分離層の透過色に拡散色が混じり色純度が低下するといった問題があった。
　【００１０】
　第三に、反射型液晶表示装置の場合、液晶パネル表面における外光の不必要な反射のため、表示内容が視認し難いといった問題や、外光の利用効率が低下するといった問題があった。
　さらに、外光は紫外線をふくんでおり、紫外線に対して比較的弱い上記の様な従来の光散乱モードの液晶表示素子の場合、紫外線による光変調層の劣化の問題があった。
　【００１１】
　　【課題を解決するための手段】
　そこで、本発明は、散乱特性が良好で、かつ同時に、大幅な低電圧駆動が可能で、高いコントラストと色純度の優れた高品位な表示品質を実現する反射型液晶表示装置を提供する事を目的とする。
　また、製造コストを低く抑えた反射型液晶表示装置を提供することを目的とする。
　【００１２】
　また、外光の反射による表示内容の視認性の悪さを改善し、且つ、紫外線による光変調層の劣化を防止して、信頼性の高い反射型液晶表示装置を提供する事を目的とする。
　さらに、蓄光特性を有する反射層を用いることにより、周囲環境が明るい時に光エネルギー蓄え、周囲環境が暗い時には、反射層自身が蓄光特性により発光して、暗い周囲環境でも表示が視認可能となる省電カタイブの明るい表示状態を実現する反射型液晶表示装置を提供する事を目的とする。
　【００１３】
　若しくは、蛍光特性を有する反射層を用いることにより、人間が視認出来ない紫外線等の波長域の光を効率良く可視光域の光に変換し、より一層明るく鮮やかな表示を実現する反射型液晶表示装置を提供する事を目的とする。
　本発明の反射型液晶表示装置は、上述した目的を達成するために、電極面の間に設けられた光変調層が前記電極面間に印加される電圧により光散乱状態又は光透過状態に制御されるとともに、光変調層の背後に設けられた少なくとも１種類以上の色分離層と、色分離層の背後に設けられた反射層を備えている。さらに、以下に示す特徴の少なくとも１つの大項目を備えている。
　【００１４】
　ａ）光変調層が、電圧印加により光散乱状態が変化する高分子分散型液晶層、または相転移型液晶層である。
　ａ１）高分子分散型液晶層は、液晶材料が連続層を形成し、この連続層中に、３次元網目状の光硬化性樹脂を有する構造である。
　ａ２）相転移型液晶層は、液晶材料中に分散した３次元網目状の光硬化性樹脂により安定化したプレーナテクスチャーまたはフオーカルコニツクテクスチャーを有する構造である。
　【００１５】
　ｂ）色分離層は、特定波長範囲の光を選択的に反射する特性を有するコレステリック液晶ポリマー層より構成されている。
　ｂ１）コレステリック液晶ポリマー層より構成された色分離層は、可視光領域の特定波長範囲の右円偏光を選択的に反射するコレステリック液晶ポリマー層と特定波長範囲と同じ波長の左円偏光を選択的に反射するコレステリック液晶ポリマー層とを両者の光軸が平行になる様に配置した構成を反射基本単位とし、可視光領域の互いに異なる選択反射波長範囲を有するコレステリック液晶ポリマー層の反射基本単位を少なくとも１つ以上積層して成る。
　【００１６】
　ｂ２）コレステリック液晶ポリマー層より構成された色分離層は、可視光領域の特定波長範囲の右円偏光を選択的に反射するコレステリック液晶ポリマー層と前記特定波長範囲と同じ波長の左円偏光を選択的に反射するコレステリック液晶ポリマー層とを両者の光軸が平行になる様に配置した構成を反射基本単位とし、可視光領域の互いに異なる選択反射波長範囲を有するコレステリック液晶ポリマー層の反射基本単位の領域を同一平面上に複数有する。
　【００１７】
　ｂ３）コレステリック液晶ポリマー層より構成された色分離層は、同一平面上に可視光領域の互いに異なる選択反射波長範囲の第ｂ１項の反射基本単位が複数形成され、かつ少なくとも１つ以上積層する。
　ｂ４）コレステリック液晶ポリマー層より構成された色分離層は、光軸を平行にして重ねられた可視光領域の特定同一波長範囲の同じ回転方向の円偏光を選択的に反射する２枚のコレステリック液晶ポリマー層の間に、該特定同一波長範囲の光の位相を１８０度変換する変換素子を挟んだ構成を反射基本単位とし、可視光領域の互いに異なる選択反射波長範囲を有するコレステリック液晶ポリマー層の反射基本単位を少なくとも１つ以上積層して成る。
　【００１８】
　ｂ５）コレステリック液晶ポリマー層より構成された色分離層は、光軸を平行にして重ねられた可視光領域の特定同一波長範囲の同じ回転方向の円偏光を選択的に反射する２枚のコレステリック液晶ポリマー層の間に、該特定同一波長範囲の光の位相を１８０度変換する変換素子を挟んだ構成を反射基本単位とし、可視光領域の互いに異なる選択反射波長範囲を有するコレステリック液晶ポリマー層の反射基本単位の領域を同一平面上に複数有する。
　【００１９】
　ｂ６）コレステリック液晶ポリマー層より構成された色分離層は、同一平面上に可視光領域の互いに異なる選択反射波長範囲の第ｈ項の反射基本単位が複数形成され、かつ少なくとも１つ以上積層する。
　ｃ）色分離層は、特定波長範囲の光を透過させると共に、その他の光を反射させる特性を有する誘電体多層薄膜より構成されている。
　【００２０】
　ｄ）色分離層は、可視光領域の特定波長範囲の光と紫外線を透過させると共に、その他の光を反射させる特性を有する誘電体多層薄膜より構成されている。
　ｅ）色分離層は、少なくとも１種類以上にパターニングされている。
　ｆ）色分離層のパターニングは、マルチカラーセグメントである。
　ｇ）反射層は、可視光領域の全波長にわたって拡散反射率が均一で高い特性を持った拡散反射層である。
　【００２１】
　ｈ）反射層が、蓄光特性を有する反射層である。
　ｉ）反射層が、蛍光特性を有する反射層である。
　ｊ）色分離層はホログラム層であり、かつ反射層はミラー層である。
　ｊ１）色分離層としてのホログラム層は、ブラック反射層である。
　ｊ２）ブラック反射層は、体積ホログラムである。
　【００２２】
　ｊ３）体積ホログラムの干渉縞の角度は電極面に対して３０度以下である。
　ｊ４）ミラー層は、アルミニウム・銀・ニッケル・クロム・パラジウム・ロジウム等の金属やその合金あるいはその酸化物のうちの少なくとも一つ以上を含む金属あるいは誘電体多層膜である。
　ｋ）一対の電極面のうち観測者に最も近い面に、反射防止層と液晶に有害な紫外線を吸収もしくは反射する紫外線遮断層を配置する。
　【００２３】
　ｋ１）紫外線遮断層は、３７０ｎｍ以下の波長の紫外線を吸収もしくは反射する特性を備える。
　本発明の反射型液晶表示装置の上記構成によれば、光変調層の散乱特性が格段に向上し、かつ同時に、大幅な低電圧駆動が可能となり、また同時に光散乱状態と透明状態とのコントラスト比を大幅に向上させて、ペーパーホワイトの様な輝度の高い白さと、色純度の優れた高品位な表示品質を実現した反射型液晶表示装置を提供する事ができる。
　【００２４】
　また、色分離層としてコレステリック液晶ポリマー層を使用する場合、コレステリック液晶ポリマー層は、他の色分離層の製造コストと比較して、安価な原料と比較的容易な製造プロセスで製造可能であるため、製造コストを大幅に低く抑えて製造する事が可能であり、ローコスト化した反射型液晶表示装置を提供する事ができる。
　【００２５】
　また、外光の反射による表示内容の視認性の悪さを改善し、且つ、紫外線による光変調層の劣化を防止して、信頼性の高い反射型液晶表示装置を提供する事ができる。
　さらに、蓄光特性を有する反射層を用いることにより、周囲環境が暗い時には、反射層自身が蓄光特性により発光して、暗い周囲環境でも表示が視認可能となる省電力タイプの明るい表示状態を実現する反射型液晶表示装置を提供する事ができる。
　【００２６】
　若しくは、蛍光特性を有する反射層を用いることにより、人間が視認出来ない紫外線等の波長域の光を効率良く可視光域の光に変換し、より一層明るく鮮やかな表示を実現する反射型液晶表示装置を提供する事ができる。
　【００２７】
　【発明の実施の形態】
　以下、本発明の反射型液晶表示装置の基本的な構成の例を説明する。
　本発明で使用する光変調層は、電圧印加により光散乱状態が変化する光散乱モードの液晶表示素子を使用する。光散乱モードの液晶表示素子は、ポリマーネットワーク型の高分子分散型液晶層または相転移型液晶層などの光散乱モード液晶層を透明電極が形成された基板によって狭持されていれば良い。
　【００２８】
　透明電極は、少なくとも一方がキャラクタ表示や７セグメント表示可能なパターン、あるいはドットマトリックス表示可能なパターンで、基板全面あるいは一部でパターニングされていれば良い。
　上記パターンは、一画素単位にダイオードやトランジスタなどのアクティブ素子が形成されていても良い。
　【００２９】
　基板としては、ガラスやフレキシブルプラスチック基板が使用できる。
　また、光散乱モード液晶表示素子は、透明電極に画像信号を印加する手段を備えており、電圧印加レベルが高い時に光透過状態に、電圧印加レベルがより低い時に散乱状態となる。また、逆に、電圧印加レベルが高い時に散乱状態に、電圧印加レベルがより低い時に光透過状態になるようにしても良い。
　【００３０】
　また、本発明の光変調層として使用する高分子分散型液晶層は、特公平３−５２８４３号公報、公表昭６３−５０１５１２号公報に記載のようなネマチック液晶をマイクロカプセル化したものや、樹脂マトリックス中に液晶小滴を分散させたものでは無く、液晶が連続層を形成し、この連続層中に、３次元網目状構造の光硬化性樹脂を有する構造であるポリマーネットワーク型の液晶層である。このポリマーネットワーク型の液晶層としては、光硬化性樹脂に対する液晶の割合は、６０〜９９％の範囲が良く、また、３次元網目状構造の孔径は光の波長程度でバラツキが少ない方がよく、０．５μｍ〜３．５μｍの３次元網目状構造の孔径が良い。これにより、ネマチック液晶をマイクロカプセル化したものや、樹脂マトリックス中に液晶小滴（液晶ドロップレット）を分散させた光変調層よりも、光散乱特性に格段に優れ、かつ大幅な低電圧化が図れる光変調層を実現出来る。
　【００３１】
　また、本発明の光変調層として使用する相転移型液晶層には、垂直配向処理また水平配向処理したセルに、誘電異方性が正あるいは負のネマチック液晶にカイラル剤を混合したいわゆるコレステリック・ネマチック相転移型液晶層を使用する。さらに、上記コレステリック・ネマチック相転移型液晶中に分散した３次元網目状の光硬化性樹脂により安定化したプレーナテクスチャーまたはフォーカルコニックテクスチャーを有する構造である高分子安定化相転移型液晶層であることが好ましい。ネマチック液晶としては、シアノ系、フッ素系、塩素系などのいずれの液晶も使用できる。いずれの液晶も高い△ｎ、高い△εの特性の液晶が望ましい。また、カイラル剤も特に制限はない。光硬化性樹脂としては、メタアクリロイル化合物、アタリレート化合物、メタクリレート化合物などの高分子樹脂前駆体でよい。すなわち、共重合できる光重合性基を有する高分子樹脂前駆体であればよい。また、光重合開始剤も添加すると良い。光硬化性樹脂はコレステリック・ネマチック液晶中に０．５％〜８％の範囲が望ましい。添加量が多すぎると駆動電圧が高くなる。また、ネマチック液晶とカイラル剤の混合比を、カイラルピッチが０．２〜５．０μｍになるように設定することが望ましい。
　【００３２】
　また、本発明の色分離層層として使用するコレステリック液晶ポリマー層は、液晶分子の平均配向方向を表すダイレクタの方位が右回り或いは左回りの何れかに連続的に回転する螺旋構造をとる。その螺旋構造のピッチをｐ、屈折率を（ｎ１、ｎ２）、入射光のコレステリック液晶ポリマー層螺旋面への入射角をθとすれば、その螺旋軸の向きに応じた回転方向の楕円偏光（若しくは円偏光）の光で、且つ下記の式１で表される波長λの範囲の光のみを選択的に反射する性質がある。
　　　ｐ×ｎ２×Ｓｉｎθ＜λ＜Ｐ×ｎ１×Ｓｉｎθ　　［式１］
　ここで、ｎ１とｎ２に関しては、コレステリック液晶ポリマー層の配向方向を示すダイレクタに平行な方向の屈折率とダイレクタに垂直な方向の屈折率のうち、前者ｎ１が屈折率の大きい方であり、後者ｎ２が屈折率の小さい方である。尚、選択反射の波長範囲は十分に狭い為、反射光は着色して見える。
　【００３３】
　前記式１から明らかな様に、コレステリック液晶ポリマー層の選択反射波長λは、コレステリック液晶ポリマー層自体の屈折率（ｎ１、ｎ２）と螺旋ピッチｐとに関係し、通常は屈折率（ｎ１、ｎ２）はほぼ一定であるから、螺旋ピッチｐを可変とすることにより、任意の選択反射の波長範囲を設定できる。
　例えば、ｎ１＝１．７３、ｎ２＝１．５１（△ｎ＝０．２２）、ｐ＝２６５ｎｍとすると、前記式１より、垂直に入射した光に対して、選択反射の波長範囲は４００〜４５８ｎｍとなり、５８ｎｍの幅となる。
　【００３４】
　また、ｎ１＝１．７６、ｎ２＝１．５１（△ｎ＝０．２５）、ｐ＝３３８ｎｍとすると、垂直に入射した光に対して、選択反射の波長範囲は５１０〜５９５ｎｍとなり、８５ｎｍの幅となる。
　この様に、コレステリック液晶ポリマー層の屈折率（ｎ１、ｎ２、△ｎ）、及び螺旋ピッチｐを所定の値に調整することにより、選択反射の波長範囲が青（Ｂ）・緑（Ｇ）・赤（Ｒ）などに相当する波長範囲のコレステリック液晶ポリマー層を任意に作成することが出来る。
　【００３５】
　図７にコレステリック液晶ポリマー層の反射スペクトルの一例を示す。この図より明らかな様に、波長５１０ｎｍ〜５９５ｎｍに渡って反射率が約５０％近くあり、また、かなり急峻な立上りと立下り特性を示している。
　ここで、コレステリック液晶ポリマー層の螺旋構造の回転方向が右巻きであれば、入射光の楕円偏光（若しくは円偏光）のうち右楕円偏光（若しくは右円偏光）を反射し、螺旋構造の回転方向が左巻きであれば、左楕円偏光（若しくは左円偏光）を反射する。
　【００３６】
　この性質を利用して、コレステリック液晶ポリマー層より構成された色分離層層は、可視光領域の特定波長範囲の右円偏光を選択的に反射するコレステリック液晶ポリマー層と前記特定波長範囲と同じ波長の左円偏光を選択的に反射するコレステリック液晶ポリマー層とを両者の光軸が平行になる様に配置した構成を反射基本単位Ａとし、可視光領域の互いに異なる選択反射波長を有するコレステリック液晶ポリマー層の反射基本単位Ａを少なくとも１つ以上積層して成る色分離層層である。この構造により、入射光の特定波長範囲の右回りの円偏光と左回りの円偏光を両方共に反射する事が出来るので、その結果として、入射光の特定波長範囲の光だけを１００％に近い反射率で高効率に反射することができる。
　【００３７】
　従って、螺旋ピッチを変え、選択反射の波長範囲を青（Ｂ）、緑（Ｇ）、赤（Ｒ）などに対応する波長範囲の反射基本単位Ａを光軸が平行になる様に複数積層して、ある特定波長範囲の光を選択的に１００％に近い反射率で高効率に反射するコレステリック液晶ポリマー層を形成することにより、色々なカラー表示が再現できる。
　【００３８】
　更にまた、可視光領域の互いに異なる選択反射波長を有するコレステリック液晶ポリマー層の反射基本単位Ａの領域を同一平面上に複数配置した構造の色分離層としても良い。即ち、螺旋ピッチを変え、選択反射の波長範囲を青（Ｂ）、緑（Ｇ）、赤（Ｒ）などに対応した波長範囲のコレステリック液晶ポリマー層を同一平面上に２色以上組み合わせてストライプ状またはモザイク状に形成することにより多色カラー表示を実現できる。
　【００３９】
　更にまた、前記反射基本単位Ａを少なくとも１つ以上積層し、かつ同一平面上に、可視光領域の互いに異なる選択反射波長範囲の前記反射基本単位Ａを２色以上組み合わせてストライプ状またはモザイク状に形成することにより任意の色の多色カラー表示を実現出来る。
　別の例として、コレステリック液晶ポリマー層より構成された色分離層は、光軸を平行にして重ねられた可視光領域の特定同一波長の同じ回転方向の円偏光（例えば右円偏光）を選択的に反射する２枚のコレステリック液晶ポリマー層の間に、該特定同一波長の光の位相を１８０度変換する変換素子（以下、１／２波長板と称す）を挟んだ構成を反射基本単位Ｂとし、可視光領域の互いに異なる選択反射波長を有するコレステリック液晶ポリマー層の反射基本単位Ｂを少なくとも１つ以上積層して成る色分離層である。この構造により、入射光の特定波長範囲の円偏光成分（例えば、右回りの円偏光成分）が第１層目のコレステリック液晶ポリマー層で選択的に反射され、特定波長範囲の左回りの円偏光成分が透過する。この左回りの円偏光成分は、特定波長範囲の光の位相を１８０度変換する１／２波長板で、その位相を１８０度変換されて、右回りの円偏光となる。この右回りの円偏光成分は第２層目のコレステリック液晶ポリマー層で選択的に反射される。その結果として、入射光の内の特定波長範囲の光だけを１００％に近い反射率で高効率に反射することができる。
　【００４０】
　したがって、螺旋ピッチを変え、選択反射の波長範囲を青（Ｂ）、緑（Ｇ）、赤（Ｒ）などに対応する波長範囲の反射基本単位Ｂを光軸が平行になる様に複数対積層して、ある特定波長範囲の領域の光を選択的に１００％に近い反射率で高効率に反射するコレステリック液晶ポリマー層を形成することにより、色々なカラー表示が再現できる。
　【００４１】
　更にまた、多色表示を得るために、可視光領域の互いに異なる選択反射波長を有するコレステリック液晶ポリマー層の反射基本単位Ｂの領域を同一平面上に複数配置した構造の色分離層とすることも可能である。したがって、螺旋ピッチを変え、選択反射の波長範囲を青（Ｂ）、緑（Ｇ）、赤（Ｒ）などに対応した波長範囲のコレステリック液晶ポリマー層を同一平面上に２色以上組み合わせてストライプ状またはモザイク状に形成することにより多色カラー表示を実現できる。
　【００４２】
　更にまた、前記反射基本単位Ｂを少なくとも１つ以上積層し、かつ同一平面上に、可視光領域の互いに異なる選択反射波長範囲の前記反射基本単位Ｂを２色以上組み合わせてストライプ状またはモザイク状に形成することにより任意の色の多色カラー表示を実現出来る。
　また、色分離層は、光変調層の背後に位置していれば良く、透明電極の前後あるいは基板の前後でも良い。また、光散乱モード表示素子の外付けで、別途透明基板に形成された色分離層を光散乱モード表示素子に密着して配置しても良い。また、反射層を構成する基材に形成しても良い。
　【００４３】
　また、色分離層の透過光の色は単色から複数の色を二次元に配置されていても良い。例えば、透明電極に対応したキャラクタ表示や７セグメント表示可能なパターンあるいはドットマトリックス表示可能なパターンで、各画素に対応して、同一平面上に２色以上組み合わせてストライプ状またはモザイク状に形成することにより、本方式は、多色カラー表示できる。
　【００４４】
　また、本発明で使用する反射層は、可視光領域の全波長にわたって拡散反射率が均一で高い特性を持った拡散反射層、即ち白色拡散反射層であっても良い。白色拡散反射層は、鮮やかな色純度の高い色を実現するための重要な働きをする。鮮やかな色純度の高い色を実現するためには、可視光領域の全波長に渡って拡散反射率が均一で高い特性を持った拡散反射層（すなわち、白色拡散反射層）を用いることが望ましい。また、拡散反射層の厚さは、拡散反射層の背後の物体の色に影響されない程度の厚さを有していることが望ましい。鮮やかな色純度の高い色を実現するための拡散反射率特性の優れた白色拡散反射層として、可視光領域の全波長に渡って拡散反射率が均一で高い特性を持つ他の高分子フィルムで構成された白色拡散反射層や硫酸バリウム粉末などの無機物で構成された白色拡散反射層を用いても良い。市販品の例としては、東レ（株）のポリエステル・フィルム”ルミラーＥ６０Ｌ”（厚さ：１８８μｍ）などを使用しても良い。また、銀（Ａｇ）やアルミニウム（Ａｌ）など可視光領域において反射率の高い金属膜の表面を特定の粒径も持ったガラスピースなどを散布コーティングして可視光領域の全波長に渡って拡散反射率が均一で高い特性を持った白色拡散反射層を使用してもかまわない。
　【００４５】
　また、本発明で用いる反射層は、蓄光特性を有した反射層であっても良い。即ち、反射層に蓄光特性を有する素材を使用し、周囲環境の明るい時期に光エネルギーを蓄えることで、暗い環境下に変化した場合にも反射層自身が蓄光特性により発光し、明るい表示面が実現できる。蓄光特性を有する材料としては、ストロンチウムアルミネートＳｒＡｌ２Ｏ４を母体結晶にして希土類元素を添加した材料（根本特殊化学社製）などが使用できる。
　【００４６】
　また、本発明で用いる反射層は、蛍光特性を有した反射層であっても良い。蛍光反射層は、昼光（日光）、蛍光灯、水銀灯等の人工の光の照射により刺激を受け発光し、照射が無くなると発光しなくなる。したがって、蛍光特性を有する反射層を使用することにより、人間が視認出来ない紫外線等の波長域の光を効率良く可視光域の光に変換することで、反射層のより一層の輝度向上を計ることができ、これにより、反射型液晶表示装置としての輝度をさらに向上させることができる。
　【００４７】
　次に、本発明の反射型液晶表示装置の基本的な構成の例を、図を用いて順次説明する。
　Ｉ）本発明の反射型液晶表示装置の基本的な構成の一例として、光変調層として光散乱モード液晶表示素子（本例では、ポリマーネットワーク型の高分子分散型液晶素子）を使用し、他に色分離層と反射層として白色拡散反射層の技術を組み合わせた例を、図１、図２、図３を用いて説明する。
　【００４８】
　図１は、本発明の実施例１の反射型液晶表示装置の断面図であり、図２は散乱状態（電圧無印加）の場合の表示原理の説明図であり、図３は透明状態（電圧印加）の場合の表示原理の説明図である。
　図１に示すように、液晶パネル１０は、透明電極１２Ａ、１２Ｂを備えた一対の透明基板１１Ａ，１１Ｂと、該透明基板１１Ａ，１１Ｂ間に狭持された正の誘電異方性を有するネマチック液晶材料を含む光散乱性の光変調層１３より構成されている。前記液晶パネルの背後（図１に於いて下側）に色分離層２０を配置すると共に、該色分離層２０の背後に可視光領域の全波長に渡って拡散反射率が均一で高い特性を持った反射層３０（以下、白色拡散反射層３０と称す）を配置した構成となっている。
　【００４９】
　以下に、この光変調層１３がポリマーネットワーク型の高分子分散液晶層１３’である場合に関して説明する。
　図２に示す様な散乱状態（電圧無印加）の場合には、電圧が印加されていないので、液晶分子は色々な方向を向いており、この状態では、高分子分散液晶層１３’に入射した光は液晶と高分子の界面での光散乱作用により散乱される。すなわち、電圧無印加の場合、外部から入射した光Ｌ１は高分子分散液晶層１３’によって散乱される。そして、入射光Ｌ１の後方散乱光Ｌ２の一部は視認方向に進み、観測者Ｓ０の目に到達する。ここで、高分子分散液晶層１３’などの光変調層の光散乱状態では、一般に前方散乱光の割合がかなり大きい。このため、入射光のうちかなりの割合の光が前方散乱光Ｌ３となり、この前方散乱光Ｌ３は色分離層２０に入射する。
　【００５０】
　尚、色分離層２０には、光吸収損失が非常に小さく、かつ、光の反射・透過特性が非常に優れている特性を持ったミラーを用いる。
　色分離層２０は、可視光領域の特定の波長範囲の光を透過させると共にその他の可視光を反射させる特性を有している。
　従って、色分離層２０に入射した前方散乱光Ｌ３は、色分離層２０で特定の波長範囲の透過光以外の光が高効率で反射される（Ｌ４）。色分離層２０で反射された光（Ｌ４）は、再度、高分子分散液晶層１３’に入射し、高分子分散液晶層１３’で散乱され、光強度の比較的強い前方散乱光Ｌ５として観測者Ｓ０の目に到達することになる。
　【００５１】
　一方、色分離層２０を透過した特定波長の光（Ｌ６）は、反射層３０に入射される。反射層３０は、鮮やかな色純度の高い色を再現するために非常に重要な働きをする。従って、鮮やかな色純度の高い色を再現するために、可視光領域の全波長にわたって拡散反射率が均一で高い特性を持った反射層（すなわち、白色拡散反射層）を用いるのが好ましい。
　【００５２】
　このような白色拡散反射層３０では、入射光Ｌ６を等方的に、かつ高効率に拡散反射する（Ｌ７）。この拡散反射光Ｌ７は、再び色分離層２０を透過して、高分子分散液晶層１３’に入射し、高分子分散液晶層１３’で散乱され、光強度の比較的強い前方散乱光Ｌ８として観測者Ｓ０の目に到達することになる。
　本実施例では、色分離層２０は光吸収損失が非常に小さく、かつ、光の反射・透過特性が非常に優れている特性を持ったミラーを用いる。
　【００５３】
　従って、入射光Ｌ１は光変調層で散乱されて後方散乱光Ｌ２や前方散乱光Ｌ５、Ｌ８などになり、これら散乱光は吸収損失をほとんど受けていないので、これら散乱光によって合成された光（Ｌ２＋Ｌ５＋Ｌ８など）は、入射光の強度とほぼ同じ程度の光強度となる。そして、この輝度が非常に高く着色されていない白色光を観測者Ｓ０は見ることになる。即ち、外からの入射光の光吸収損失が非常に少なく、入射光の大部分を白さの輝度として有効に活用できるため、非常に明るい純度の高い白色が実現できる。
　【００５４】
　図３に示す様な透明状態（電圧印加）の場合、透明電極１２Ａ、１２Ｂの間に液晶の飽和電圧以上の電圧を印加すると、液晶分子が基板１１Ａ、１１Ｂ面に対してほぼ垂直に配列する。この状態では、液晶と高分子の界面での光散乱作用が無くなり、高分子分散液晶層１３’は透明状態となる。従って、外から入射した光Ｌ１は高分子分散液晶層１３’をほぼそのまま透過し、色分離層２０に入射する。
　【００５５】
　色分離層２０では、可視光領域の特定の波長範囲の光を透過させると共にその他の可視光を反射させる特性を有している。従って、色分離層２０に入射した光（Ｌ１）は、色分離層２０で特定の波長範囲の光が高効率で透過され（Ｌ６）、拡散反射層３０に入射する。拡散反射層３０では、入射光Ｌ６を等方的に高効率に拡散反射する（Ｌ７）。この拡散反射光Ｌ７は、再び色分離層２０を透過し、電圧印加された領域、即ち高分子分散液晶層が透明な領域に入射し、ほぼそのまま高分子分散液晶層１３’を透過して、観測者Ｓ０の目に到達する。従って、色分離層２０で選択された特定波長範囲の光だけが観測者の目Ｓ０に到達する。
　【００５６】
　尚、色分離層２０に入射した光（Ｌ１）は、色分離層２０で特定波長範囲以外の光が反射（Ｌ４）される。この反射光Ｌ４は、色分離層２０の反射特性から、正反射光となって、透明な光変調層１３をそのまま透過するが、観測者Ｓ０が見ることのできる視野角範囲からずれているため、観測者Ｓ０の目には到達できない。よって、この正反射光Ｌ４（特定波長範囲以外の光）を観察者Ｓ０は視認することがないので、選択された特定波長範囲の光だけを観測者が視認することになり、特定波長範囲の光に対応した色を鮮やかな色純度の高い色として、観測者Ｓ０は見ることができる。
　【００５７】
　本実施例では、色分離層２０には、光吸収損失が非常に小さく、且つ、光の反射・透過特性が非常に優れている特性を持ったミラーを用いる。また、反射層３０には、鮮やかな色純度の高い色を再現するための重要な働きをさせるために、可視光領域の全波長にわたって拡散反射率が均一で高い特性を持った白色拡散反射層を用いる。
　【００５８】
　これにより、色分離層２０を透過した特定波長範囲の光だけが、拡散反射層３０で効果的に拡散反射され、観測者Ｓ０の目に到達するので、選択された特定波長範囲の光に対応した非常に鮮やかな色を視認することができる。
　以上述べた様に、本発明の反射型液晶表示装置の基本的な構成の一例として、光変調層として光散乱モード液晶表示素子（本例では、ポリマーネットワーク型の高分子分散型液晶層）を使用し、他に色分離層と反射層として白色拡散反射層の技術を組み合わせた構成によって、前方散乱光を非常に効率よく活用することができる様になった。そのため、電圧無印加の時の高分子分散液晶層１３’の白濁状態は、ペーパーホワイトの様な非常に輝度の高い白さで実現できる様になった。また、電圧印加の時の高分子分散液晶層１３’が透明な状態では、色分離層２０と白色拡散反射層の複合作用によって、赤・青・緑色などの任意の色を良好なコントラストで非常に鮮やかな色が再現できるようになり、高品位な表示品質が実現できた。
　【００５９】
　ＩＩ）次に、本発明の反射型液晶表示装置の基本的な構成の一例として、光変調層として光散乱モード液晶表示素子（本例では、ポリマーネットワーク型の高分子分散型液晶素子）を使用し、他に色分離層としてブラッグ反射層を使用し、反射層としてミラー層の技術を組み合わせた例を、図１８、図１９、図２０を用いて説明する。
　【００６０】
　図１８は、本発明の実施例２の反射型液晶表示装置の断面図であり、図１９は散乱状態（電圧無印加）の場合の表示原理の説明図であり図２０は透明状態（電圧印加）の場合の表示原理の説明図である。‘
　図１８に於いて、液晶パネル１０は、透明電極１２Ａ、１２Ｂを備えた一対の透明基板１１Ａ、１１Ｂと、該透明基板１１Ａ、１１Ｂとの問に狭持された光変調層１３より構成され、さらに前記液晶パネル１０の裏面側（図において下側）に色分離層としてのブラッグ反射層２０と反射層としてミラー層３０を配置した構造となっている。なお、本発明の動作原理の説明では、光変調層１３が高分子分散液晶である場合を例に説明する。
　以下に、図１９と図２０を用いて表示原理について説明する。
　【００６１】
　図１９は電圧無印可状態の説明図であり、高分子分散液晶層からなる光変調層１３中の液晶の分子は、電圧が印加されていない状態では色々な方向を向いており、この状態では、光変調層１３に入射した光は液晶と高分子の界面での光散乱作用により散乱される。即ち、電圧無印加の場合、外部からの入射光Ｌ１は光変調層１３によって散乱される。そして、入射光Ｌ１の後方散乱光Ｌ２の一部は視認方向に進み、観測者の目Ｓ０に到達する。ここで、光変調層１３の光散乱状態では、一般に前方散乱成分の割合がかなり大きい。このため、入射光のうちかなりの割合の光が前方散乱光Ｌ３となり、この前方散乱光Ｌ３はブラッグ反射層２０に入射する。
　【００６２】
　尚、ブラッグ反射層２０は、光吸収損失が非常に小さく、且つ、光の回折・透過特性が非常に優れている。
　ここで、前方散乱光Ｌ３のブラッグ反射を図２２を用いて説明する。図２２のブラッグ反射層９は、ピッチＰの干渉縞２０Ａからなる層状構造である。ブラッグ反射層の入射光である前方散乱光Ｌ３はブラッグの法則により、
　　λ＝２Ｐｓｉｎφ　　（λ：波長、φ入射光と干渉縞の角度）
の関係を満たす方向に反射が起こり、回折光Ｌ４が出射する。
　【００６３】
　ブラッグ反射層２０では、ブラッグ条件を満足する可視光領域の特定の波長範囲の光を回折すると共に、その他の可視光を透過させる事ができる。従って、ブラッグ反射層２０に入射した前方散乱光Ｌ３は、ブラッグ反射層２０で、特定の波長範囲の光が高効率で回折され角度αの回折光Ｌ４となる。回折光Ｌ４は、再度、光変調層１３に入射し、光変調層１３で散乱され、光強度の比較的強い前方散乱光Ｌ５として観測者の目Ｓ０に到達することになる。
　【００６４】
　尚、ブラッグ反射層２０を透過した特定波長範囲以外の透過光Ｌ６は、反射層（ミラー層）３０に入射される。反射層３０では、透過光Ｌ６を角度２αで正反射し反射光Ｌ７となる。この反射光Ｌ７は、再びブラッグ反射層２０を透過して光変調層１３に入射し、光変調層１３で散乱され、光強度の比較的強い前方散乱光Ｌ８として観測者の目Ｓ０に到達することになる。
　【００６５】
　本実施例では、ブラッグ反射層２０は、光吸収損失が非常に小さく、且つ、光の回折・透過特性が非常に優れている特性を持ったブラッグ反射層を用いる。
　したがって、入射光Ｌ１は光変調層で散乱されて後方散乱光Ｌ２や前方散乱光Ｌ５、Ｌ８などになり、これら散乱光は吸収損失が非常に少ない為、散乱光Ｌ２＋Ｌ５＋Ｌ８などにより合成された光は再び白色化され着色の無い光として観測者Ｓ０に観測される。この様にして、外からの入射光を光吸収損失が非常に少ない状態で、入射光の大部分を有効に活用できるため、非常に明るい純度の高い白色が実現できる。
　【００６６】
　図２０は電圧印加状態の説明図であり、前記透明電極１２Ａ、１２Ｂの問に液晶の飽和電圧以上の電圧を印加すると、液晶分子が前記基板１１Ａ、１１Ｂ面に対してほぼ垂直に配列する。この状態では、液晶と高分子の界面での光散乱作用が無くなり、光変調層１３は透明状態となる。従って、入射光Ｌ１は光変調層１３をほぼそのまま透過し、ブラッグ反射層２０に入射する。
　【００６７】
　ブラッグ反射層２０では、可視光領域の特定の波長範囲の光を回折させると共にその他の可視光を透過させる事ができる。したがって、入射光Ｌ１は、ブラッグ反射層２０ので特定の波長範囲の光が高効率で角度αの回折光Ｌ４と透過光Ｌ６となり、回折光Ｌ４はそのまま光変調層１３透過して、観測者の目Ｓ０に到達する。
　【００６８】
　一方、透過光Ｌ６は反射層３０に入射する。反射層（ミラー層）３０では、入射光Ｌ６を角度２αに正反射し、反射光Ｌ７となる。この反射光Ｌ７は、再びブラッグ反射層２０を透過し、電圧印加された領域、即ち光変調層１３が透明な領域に入射し、ほぼそのまま光変調層１３を透過する。回折光Ｌ４が角度αで観測者Ｓ０の視野に入るのに対し、反射光Ｌ７は反射角度が２αで、観測者Ｓ０が見ることのできる視野角範囲からずれているため、観測者Ｓ０の目には到達できない。よって、この反射光Ｌ７（特定波長範囲以外の光）を観察者Ｓ０は視認することがないので、角度αで回折された特定波長範囲の光だけを観測者が視認することになり、特定波長範囲の光に対応した色を鮮やかな色純度の高い色として、観測者Ｓ０は見ることができる。
　【００６９】
　ここで、一例としてブラッグ反射層２０が体積ホログラムである場合の観測者の視認性について、図２３の波長感度特性と図２４の再生光入射角感度曲線を用いて説明する。
　図２３は波長感度曲線であり、再生光波長と相対回折強度の関係を示した図であり、λ０は記録光波長である。例えば、相対回折強度Ｌ０が観測者が視認可能な光強度とすると、再生光波長はλ１〜λ２の範囲で観測者が回折光を視認できることを意味する。図１８で再生光は、前方散乱光Ｌ３であり、図１９では入射光Ｌ１である。
　【００７０】
　また、図２４は再生光入射角感度曲線であり、再生光入射角度と相対回折強度の関係を示した図であり、θ０は記録参照光入射角度である。例えば、相対回折強度Ｌ０が観測者が視認可能な光強度とすると、再生光入射角度はθ１〜θ２の範囲で観測者が回折光を視認できることを意味する。逆にいうと、再生光入射角度が一定の場合、観測者の視認範囲がθ０を中心にθ１〜θ２で有ることを意味する。
　【００７１】
　すなわち、本発明の実施の形態の場合、回折光Ｌ４を中心に±（θ１＋θ２）／２の角度で、観測者Ｓ０が色を視認できることになる。
　以上、述べた様に、光変調層１３の背後にブラッグ反射層２０を配置し、さらにブラッグ反射層２０の背後に反射層（ミラー層）３０を配置した本実施例の反射型液晶装置の構成によって、前方散乱光を非常に効率よく活用することができる様になったので、電圧無印加の時の高分子分散液晶層からなる光変調層１３の白濁状態は、ペーパーホワイトの様な非常に輝度の高い白さが実現できる様になった。また、電圧印加の時の光変調層１３が透明な状態では、ブラッグ反射層２０と反射層（ミラー層）３０の複合作用によって、赤・青・緑色などの任意の色を良好なコントラストで非常に鮮やかな色が実現でき、高品位な表示品質を実現できる様になった。
　【００７２】
　　【実施例】
　以下、本発明の実施例を、具体例を示しながら説明する。
（実施例１）
　図１は、本実施例の反射型液晶表示装置の断面構造図である。
　図１に示すように、液晶パネル１０は、パターニングされた透明電極１２Ａ、１２Ｂを備えた一対の透明基板１１Ａ，１１Ｂと、該透明基板１１Ａ，１１Ｂとの間に狭持された光変調層１３より構成されている。尚、セルギャップは１０μｍになるように前記液晶パネル１０を作成した。
　【００７３】
　前記液晶パネル１０の背後（図１に於いて下側）に色分離層２０を配置すると共に、該色分離層２０の背後に反射層３０を配置した。
　透明基板１１Ａ、１１Ｂとして、本実施例１では、平滑で透明なガラス板を用いた。尚、透明基板１１Ａ、１１Ｂには平滑で透明なガラス板の他に透明高分子フィルムを用いてもかまわない。
　【００７４】
　透明電極１２Ａ，１２Ｂとして、本実施例１では、スパッタリング法や真空蒸着法で形成されるＩｎ２Ｏ３−ＳｎＯ２膜（以下ＩＴＯ膜と称す）からなる透明導電膜をホトリソグラフィーによってパターニングしたものを用いた。尚、透明電極１２Ａ，１２Ｂには、ＩＴＯ膜の他にＳｎＯ２膜を用いてももかまわない。
　光変調層１３として、本実施例では、ポリマーネットワーク型の高分子分散型液晶層を用いた。
　【００７５】
　高分子分散型液晶層は、紫外線（ＵＶ）により架橋反応し重合するアクリレートモノマーなどの高分子樹脂と正の誘電異方性を有するネマチック液晶と紫外線硬化開始剤などを均一に混合溶解させた混合溶液を、空の前記液晶パネル１０に注入し、紫外線露光により高分子樹脂のみ硬化し、正の誘電異方性を有するネマチック液晶を相分離して製作されたものである。この時、高分子樹脂とネマチック液晶との配合量の割合が、高分子樹脂の割合が多い場合には、独立した粒子状の液晶小滴（液晶ドロップレット）が形成される。一方、高分子樹脂の割合が少ない場合には、高分子樹脂は網の目状（ネットワーク状）の構造を形成し、液晶はこの高分子樹脂のネットワーク構造（３次元網目状構造）の中に連続相となって存在する。
　【００７６】
　本発明の実施例では、光変調層として使用する高分子分散型液晶層は、正の誘電異方性を有するネマチック液晶をマイクロカプセル化したものや、樹脂マトリックス中に液晶小滴（液晶ドロプレット）を分散させたものでは無く、液晶が連続層を形成し、この連続層中に、３次元網目状構造の光硬化性樹脂を有する構造であるポリマーネットワーク型の高分子分散型液晶層である。このポリマーネットワーク型の高分子分散型液晶層としては、光硬化性樹脂に対する液晶の割合は、６０〜９９％の範囲が良い。好ましくは、７５％〜９５％の範囲が良い。また、良好な光散乱状態を実現するためには、３次元網目状構造の孔径は光の波長程度で均一な孔径分布がよく、好ましくは、ポリマーネットワークの３次元網目状構造の平均孔径は０．５μｍ〜３．５μｍが良い。さらに好ましくは、３次元網目状構造の平均孔径は０．８μｍ〜１．８μｍの範囲が良い。この範囲の平均孔径の時が、一番良好な光散乱状態を実現できる。尚、３次元網目状構造の平均孔径が０．５μｍ〜３．５μｍの範囲外の場合には、光散乱状態が悪化し、コントラストが大幅に低下する。
　【００７７】
　また、独立した液晶小滴粒（液晶ドロップレット）構造よりも、ポリマーネットワークの３次元網目状構造による液晶が連続相を成す構造の方が、低電圧化や低ヒステリシス化を実現し易い。従って、光硬化性樹脂に対する液晶の割合は、７５〜９９％の範囲であることが、さらに好ましい。これにより、ネマチック液晶をマイクロカプセル化したものや樹脂マトリックス中に液晶小滴を分散させた光変調層よりも、光散乱特性が格段に優れ、かつ大幅な低電圧化が図られ、且つ低ヒステリシス特性を有する散乱モードの光変調層が実現できる。
　【００７８】
　より具体的には、液晶材料としてロディック社製「ＰＮＭ−１５６」を前記空セルに３０℃の温度を保持しながら、真空注入した。これを２５．５℃の温度に保持しながら、メタルハライドランプで８０ｍＷ／ｃｍ２の紫外線を６０秒間照射し光変調層１３を有するポリマーネットワーク型の高分子分散型液晶表示パネル１０を作製した。この時、紫外線の波長は、３５０ｎｍ以下を吸収するフィルターを使用する。また、紫外線の照射開始に当たっては、シャッターを用いて予め８０ｍＷ／ｃｍ２の強度を放射できる状態のランプから瞬間的に照射開始できることが重要である。さらに、真空注入時の温度と紫外線照射時の温度は液晶材料の相転移温度より高い必要がある。特に、紫外線照射時の温度は、相転移温度より１．５℃高めに設定するとよい。
　【００７９】
　この様にして作製したポリマーネットワーク型の高分子分散型液晶表示パネル１０の光変調層１３を走査型電子顕微鏡を用いて観察したところ、ポリマーからなる三次元網目構造が確認できた。そして、この３次元網目状構造の平均孔径は約１．０μｍであった。また、キャノン製ホトメータにより電気光学特性を測定した。ここで、電圧無印加時の透過率をＴ０、印加電圧の増大に伴って透過率が飽和する時の透過率を１００％とすると、９０％の透過率を示す印加電圧をＶｓａｔとする。また、１０％の透過率を示す印加電圧をＶｔｈとする。また、５０％の透過率を示すヒステリシスをＶＨ５０とする。
測定の結果は、
　　　　Ｖｔｈ　　　　　　　　　　　　　＝　１．６９Ｖ
　　　　Ｖｓａｔ　　　　　　　　　　　　＝　２．７０Ｖ
　　　　ＶＨ５０　　　　　　　　　　　　＝　０．０５Ｖ
　　　　Ｔ０　　　　　　　　　　　　　＝　２．３％
　　　　Ｖｏｐ：３．０Ｖ時の絶対透過率　＝　８６％
　　　　Ｖｓａｔ時の消費電流　　＝　０．４５μＡ／ｃｍ２
であった。ここで、ＶＨ５０は、ヒステリシス特性を表し、次式により定義されている。
　【００８０】
　　　　ＶＨ５０＝ＶＵＰ５０−ＶＤＷ５０
尚、ＶＵＰ５０は印加電圧を昇圧した時の５０％の透過率を示した印加電圧であり、ＶＤＷ５０は印加電圧を降圧した時の５０％の透過率を示した印加電圧である。
上記測定結果より、本実施例で作製したポリマーネットワーク型の高分子分散型液晶表示パネル１０は、非常に光散乱特性に優れ、かつ大幅な低電圧化が図られ、さらに低ヒステリシス特性を有する散乱モードの光変調層であることが確認された。
　【００８１】
　反射層３０は、鮮やかで色純度の高い色を再現するための重要な働きをする。鮮やかで色純度の高い色を再現するためには、可視光領域の全波長に渡って拡散反射率が均一で高い特性を持った反射層（白色拡散反射層）を用いることが望ましい。また、反射層の厚さは、反射層の背後の物体の色に影響されない程度の厚さを有していることが望ましい。
　【００８２】
　本実施例では、鮮やかで色純度の高い色を再現するため、拡散反射率特性の優れた白色拡散反射層として、東レ（株）のポリエステル・フィルム”ルミラーＥ６０Ｌ”（厚さ：１８８μｍ）を使用した。
　尚、反射層３０には、可視光領域の全波長に渡って拡散反射率が均一で高い特性を持つ他の高分子フィルムで構成された白色拡散反射層や硫酸バリウム粉末などの無機物で構成された白色拡散反射層を用いてもかまわない。
　【００８３】
　また、銀（Ａｇ）やアルミニウム（Ａｌ）など可視光領域において反射率の高い金属膜の表面を特定の粒径も持ったガラスピースなどを散布コーティングして視光領域の全波長に渡って拡散反射率が均一で高い特性を持った白色拡散反射層を使用してもかまわない。
　色分離層２０として、本実施例では、可視光領域の特定波長範囲で選択的に反射する特性を有するコレステリック液晶ポリマー層より構成されたミラーを用いた。この色分離層２０は、可視光領域の特定波長範囲の右円偏光を選択的に反射するコレステリック液晶ポリマー層と前記特定波長範囲と同じ波長の左円偏光を選択的に反射するコレステリック液晶ポリマー層とを両者の光軸が平行になる様に配置した構成を反射基本単位Ａとし、可視光領域の互いに異なる選択反射波長範囲を有するコレステリック液晶ポリマー層の反射基本単位Ａを少なくとも１つ以上積層して成る色分離層である。
　【００８４】
　図４に、このコレステリック液晶ポリマー層の反射基本単位Ａを１つ有する色分離層の断面構造図を示す。
　図４に示す様に、この色分離層は、透明支持基板６０Ａと６０Ｂの間に、特定波長範囲の右円偏光を選択的に反射するコレステリック液晶ポリマー層６１Ａと前記特定波長範囲と同じ波長の左円偏光を選択的に反射するコレステリック液晶ポリマー層６１Ｂとを両者の光軸が平行になる様に配置し狭持した構造である。この構造により、入射光の特定波長範囲の右回りの円偏光と左回りの円偏光を両方共に反射する事が出来るので、その結果として、入射光の特定波長範囲の光だけを１００％に近い反射率で高効率に反射することができる。
　【００８５】
　ここでは、透明支持基板６０Ａ、６０Ｂとして、ポリエチレンテレフタレートフィルムを用いた。コレステリック液晶ポリマー層６１Ａ、６１Ｂとして、特定波長範囲の右円偏光および左円偏光をそれぞれ選択的に反射するポリグルタメートなどのポリペプチドのコレステリック液晶構造のポリマー層を用いた。
　これらコレステリック液晶ポリマー層６１Ａと６１Ｂを積層し、透明支持基板６０Ａ、６０Ｂの間に挟み、シール後、特定温度の加熱状態から急冷し、コレステリック構造を固化し、厚さ約０．２ｍｍ、選択反射中心波長λが５５２ｎｍ、波長帯域△λが８５ｎｍ、最大反射率が９５％（無偏光測定条件）の特性を有する色分離層を作成した。
　【００８６】
　尚、特定波長範囲の円偏光を選択的に反射するコレステリック液晶ポリマー層６１Ａ、６１Ｂとして、ライオトロピックコレステリック液晶を光重合性不飽和モノマーを溶媒としてコレステリック構造を形成し、後に光重合させて、コレステリック構造を固化したものなども使用できる。
　上述の様にして作成したコレステリック液晶ポリマー層より構成された色分離層２０を使用して、光散乱モードの反射型液晶表示装置を製作した。
　【００８７】
　この反射型液晶表示装置を白色光照明の室内で観測すると、駆動電圧を印可していない場合は、図２の原理図に示す様に、入射光Ｌ１は光変調層で散乱されて後方散乱光Ｌ２や前方散乱光Ｌ５、Ｌ８などになり、これら散乱光が合成され白色化した光を観測者が見ることになる。従って、光の利用効率が良いので、ペーパーホワイトの様な輝度が高い白色として観測された。
　【００８８】
　一方、駆動電圧を十分に印加している場合は、図３の原理図に示す様に、光変調層は透明であるため、入射光Ｌ１は、色分離層２０の透過光に対応した色の光が白色拡散反射層３０で高効率的に拡散反射され（Ｌ７）、この拡散反射光Ｌ７がそのまま観測者の目に到達する。従って、観測者は鮮やかで色純度の高い色を見ることができる。
　【００８９】
　即ち、上述のコレステリック液晶ポリマー層より構成された色分離層２０を設置した反射型液晶表示装置では、ペーパーホワイトの様な輝度の高い白地に鮮やかで色純度が高いマゼンタ（Ｍ）［緑（Ｇ）の補色］の表示色が得られた。ところで、本実施例１のコレステリック液晶ポリマー層より構成された色分離層は、図４に示した断面構造図の他に、更に、可視光領域の互いに異なった波長を選択反射する前記コレステリック液晶ポリマー層の反射基本単位Ａを光軸が平行になる様に複数積層して、ある特定波長範囲の領域の光を選択的に１００％に近い反射率で高効率に反射することができる。
　【００９０】
　更にまた、本実施例１のコレステリック液晶ポリマー層より構成された色分離層２０は、多色表示をするために、可視光領域の互いに異なった波長を選択反射するコレステリック液晶ポリマー層の反射基本単位Ａの領域を同一平面上に複数配置して、互いに異なった波長の選択反射光を同一平面上の所定の領域から同時に生じさせることができる。
　【００９１】
　例えば、本発明の反射型液晶表示装置で多色表示をさせるためには、色分離層２０の同一平面内に、垂直に入射した光に対して、４００〜５１０ｎｍ、５１０〜５９５ｎｍ、５９５〜７２０ｎｍの波長範囲内に選択反射特性を有する３種類のコレステリック液晶ポリマー層を、ストライプ状またはモザイク状に形成して配置することにより、選択反射の波長範囲を青（Ｂ）・緑（Ｇ）・赤（Ｒ）に相当する波長範囲にすることができるので、これらの各領域にそれぞれ表示画素を対応させることにより、表示色としてこれらの補色である黄（Ｙ）［青（Ｂ）の補色］、マゼンタ（Ｍ）［緑（Ｇ）の補色］、シアン（Ｃ）［赤（Ｒ）の補色］の多色表示が可能となる。
　【００９２】
　更にまた、色分離層２０の同一平面内に、垂直に入射した光に対し、それぞれ５１０〜７２０ｎｍ、４００〜５１０ｎｍと５９５〜７２０ｎｍ、４００〜５９５ｎｍの波長範囲に選択反射特性を有する３種類のコレステリック液晶ポリマー層をそれぞれストライプ状またはモザイク状に形成して配置することにより、選択反射の波長範囲をシアン（Ｃ）・マゼンタ（Ｍ）・イエロ（Ｙ）に相当する波長範囲にすることができるので、これらの各領域にそれぞれ表示画素を対応させることにより、表示色としてこれらの補色である青（Ｂ）［黄（Ｙ）の補色］、緑（Ｇ）［マゼンタ（Ｍ）の補色］、赤（Ｒ）［シアン（Ｃ）の補色］の多色表示が可能となる。
　【００９３】
　ここで、例えば、表示色として赤（Ｒ）を再現するには、赤（Ｒ）の補色であるシアン（Ｃ）［＝青（Ｂ）＋緑（Ｇ）］の波長範囲に選択反射を示すコレステリック液晶ポリマー層が必要になる。
　現在、コレステリック液晶ポリマー層では、単層で２つの波長範囲に選択反射を有するものは、まだ見出されていない。従って、青（Ｂ）と緑（Ｇ）の波長範囲に選択反射を示すコレステリック液晶ポリマー層を２層重ねて用いれば、赤（Ｒ）に相当する表示色を再現することができる。
　【００９４】
　また、単層で１００ｎｍ以上の波長範囲に渡って選択反射を有する特性をもったコレステリック液晶ポリマー層を形成することは、現在の所難しい。
　よって、黄（Ｙ）・マゼンタ（Ｍ）・シアン（Ｃ）、あるいは、青（Ｂ）・緑（Ｇ）・赤（Ｒ）などの色を用いてカラー表示を行う場合は、選択反射の波長範囲が異なるコレステリック液晶ポリマー層を複数積層する。これにより、表示の明るさを増大することができる。尚、高複屈折率のコレステリック液晶層を用いることにより、積層数を低減できる。
　【００９５】
　（作成例１）
　本発明の反射型液晶表示装置で、表示色として黄（Ｙ）とマゼンタ（Ｍ）の２色の色再現を実現するには、波長４００〜５１０ｎｍ、５１０〜５９５ｎｍにそれそれ選択反射の波長範囲を有する青（Ｂ）［黄（Ｙ）の補色］と緑（Ｇ）［マゼンタ（Ｍ）の補色］に相当する２色のストライプ状の色分離層を作成すれば良い。従って、作成手順としては、まず、選択反射の波長範囲が４００〜４６０ｎｍ（ア）と５１０〜５９５ｎｍのコレステリック液晶ポリマーを印刷法で透明支持基板上にストライプ状に塗布し、平坦化する。次に、（ア）の上に４５０〜５１０ｎｍを塗布し、平坦化する。最後に全面を平坦化するため平坦化層を設け、段差を無くして、表示色が黄色（Ｙ）とマゼンタ（Ｍ）の２色の色再現が可能なストライプ状の色分離層が出来上がる。
　【００９６】
（作成例２）
　本発明の反射型液晶表示装置で、表示色として黄（Ｙ）とマゼンタ（Ｍ）とシアン（Ｃ）の３色の色再現を実現するには、波長４００〜５１０ｎｍ、５１０〜５９５ｎｍ及び５９５〜７２０ｎｍに選択反射の波長範囲を有する青（Ｂ）［黄（Ｙ）の補色］、緑（Ｇ）［マゼンタ（Ｍ）の補色］、赤（Ｒ）［シアン（Ｃ）の補色］に相当する３色のストライプ状の色分離層を作成すれば良い。従って、作成手順としては、まず、選択反射の波長範囲が４００〜４６０ｎｍ（ア）、５１０〜５９５ｎｍ、５９５〜６６５ｎｍ（イ）のコレステリック液晶ポリマーを印刷法で透明支持基板上にストライプ状に塗布し、平坦化する。次に、（ア）の上に４５０〜５１０ｎｍ、（イ）の上に６３０〜７２０ｎｍのコレステリック液晶ポリマーを塗布し、平坦化する。最後に全面を平坦化するために平坦化層を設け、段差を無くして、表示色が黄色（Ｙ）・マゼンタ（Ｍ）・シアン（Ｃ）の３色の色再現が可能なストライプ状の色分離層が出来上がる。
　【００９７】
　（作成例３）
　本発明の反射型液晶表示装置で、表示色として青（Ｂ）と緑（Ｇ）と赤（Ｒ）の３色の色再現を実現するには、波長５１０〜７２０ｎｍ、４００〜５１０ｎｍと５９５〜７２０ｎｍ、及び４００〜５９５ｎｍにそれぞれ選択反射の波長範囲を有する黄（Ｙ）［青（Ｂ）の補色］とマゼンタ（Ｍ）［緑（Ｇ）の補色］及びシアン（Ｃ）［赤（Ｒ）の補色］に相当する３色のストライプ状の色分離層を作成すれば良い。従って、作成手順としては、まず、選択反射の波長範囲が５１０〜５９５ｎｍ（ア）、４００〜４６０ｎｍ（イ）、４００〜４６０ｎｍ（ウ）のコレステリック液晶ポリマーを印刷法により透明支持基板上にストライプ状に塗布し、平坦化する。次に、（ア）の上に５９５〜６６５ｎｍ（エ）、（イ）の上に４５０〜５１０ｎｍ（オ）、（ウ）の上に４５０〜５１０ｎｍ（カ）のコレステリック液晶ポリマーを塗布し、平坦化する。次に、（エ）の上に６３０〜７２０ｎｍ、（オ）の上に５９５〜６６５ｎｍ（キ）、（カ）の上に５１０〜５９５ｎｍのコレステリック液晶ポリマーを塗布し、平坦化する。次に、（キ）の上に６３０〜７２０ｎｍのコレステリック液晶ポリマーを塗布し、平坦化する。最後に全面を平坦化するため平坦化層を設け、段差を無くして、表示色が青（Ｂ）・緑（Ｇ）・赤（Ｒ）の３色の色再現が可能なストライプ状の色分離層が出来上がる。
　【００９８】
　別の例として、コレステリック液晶ポリマー層より構成された色分離層２０は、光軸を平行にして重ねられた可視光領域の特定同一波長の同じ回転方向の円偏光（例えば右円偏光）を選択的に反射する２枚のコレステリック液晶ポリマー層の間に、該特定同一波長の光の位相を１８０度変換する変換素子（以下、１／２波長板と称す）を挟んだ構成を反射基本単位Ｂとし、可視光領域の互いに異なる選択反射波長を有するコレステリック液晶ポリマー層の反射基本単位Ｂを少なくとも１つ以上積層して成る色分離層である。
　【００９９】
　図５に、このコレステリック液晶ポリマー層の反射基本単位Ｂを１つ有する色分離層の断面構造図を示す。
　図５に示す様に、この色分離層は、透明支持基板６０Ａと６０Ｂの間に、光軸が平行で、可視光領域の特定同一波長の同じ回転方向の円偏光（例えば右回りの円偏光）を選択的に反射する２枚のコレステリック液晶ポリマー層６２Ａと６２Ｂを配置し、該２枚のコレステリック液晶ポリマー層６２Ａと６２Ｂの間に、前記特定同一波長の光の位相を１８０度変換する１／２波長板６３を狭持した構造である。この構造により、入射光の特定波長範囲の円偏光成分（例えば右回りの円偏光成分）が第１層目のコレステリック液晶ポリマー層６２Ａで選択的に反射され、特定波長範囲の左回りの円偏光成分が透過する。この左回りの円偏光成分は、特定波長範囲の光の位相を１８０度変換する１／２波長板６３で、その位相を１８０度変換されて、右回りの円偏光となる。この右回りの円偏光成分は第２層目のコレステリック液晶ポリマー層６２Ｂで選択的に反射される。その結果として、入射光の内の特定波長範囲の光だけを１００％に近い反射率で高効率に反射することができる。
　【０１００】
　透明支持基板６０Ａ、６０Ｂには、ポリエチレンテレフタレートフィルムを用いた。
　コレステリック液晶ポリマー層６２Ａおよび６２Ｂは、透明支持基板６０Ａ、６０Ｂのそれぞれの片面に、特定波長範囲の右円偏光または左円偏光を選択的に反射するポリグルタメートなどのポリペプチドのコレステリック液晶構造のポリマー層をコートし、特定温度の加熱状態から急冷し、コレステリック構造を固化したもので、厚さ約０．１ｍｍ、選択反射中心波長λが５５２ｎｍ、波長帯域△λが８５ｎｍ、最大反射率が４８％（無偏光測定条件）のものを作成した。
　【０１０１】
　１／２波長板６３は、延伸高分子フィルムで、材料としてはポリエステル、ポリカーボネート、ポリスチレンなどを使用し、位相差△ｎ・ｄはコレステリック液晶ポリマー層６２Ａ、６２Ｂの選択反射中心波長λのほぼ半分の２７６ｎｍである。
　これらを、図５の様に積層して色分離層２０を作成した。
　【０１０２】
　この様に構成された色分離層２０の最大反射率は約９２％（無偏光測定条件）であった。
　上述の様にして作成したコレステリック液晶ポリマー層より構成された色分離層２０を使用して、光散乱モードの反射型液晶表示装置を製作した。
　この反射型液晶表示装置を白色光照明の室内で観測すると、駆動電圧を印可していない場合は、図２の原理図に示す様に、入射光Ｌ１は光変調層で散乱されて後方散乱光Ｌ２や前方散乱光Ｌ５、Ｌ８などになり、これら散乱光が合成され白色化した光を観測者Ｓ０が見ることになる。従って、光の利用効率が良いので、ペーパーホワイトの様な輝度が高い白色として観測される。
　【０１０３】
　一方、駆動電圧を十分に印加している場合は、図３の原理図に示す様に、光変調層は透明であるため、入射光Ｌ１は、色分離層の透過光に対応した色の光が白色拡散反射層３０で高効率的に拡散反射され（Ｌ７）、この拡散反射光Ｌ７がそのまま観測者Ｓ０の目に到達する。従って、観測者は鮮やかで色純度の高い色を見ることができる。
　【０１０４】
　即ち、コレステリック液晶ポリマー層より構成された色分離層２０を設置した反射型液晶表示装置では、ペーパーホワイトの様な輝度の高い白地に、鮮やかで色純度が高いマゼンタ（Ｍ）［緑（Ｇ）の補色］の表示色が得られた。
　次いで、この反射型液晶表示装置を腕時計に実装して観察してみると、白地に色鮮やかなマゼンタ（Ｍ）の表示色となり、デジタル腕時計の美的な付加価値を向上させた。また、温度を−２０℃〜９０℃の範囲で観察してもマゼンタ（Ｍ）の表示色はほとんど変化せず、腕時計の実使用環境条件を満たすものであった。
　【０１０５】
　ところで、本実施例のコレステリック液晶ポリマー層より構成された色分離層２０は、図５に示した断面構造図の他に、可視光領域の互いに異なる波長を選択的に反射するコレステリック液晶ポリマーの反射基本単位Ｂを光軸が平行になる様に複数積層して、ある特定波長範囲の領域の光を選択的に１００％に近い反射率で高効率に反射することもできる。
　【０１０６】
　更にまた、コレステリック液晶ポリマー層より構成された色分離層２０は、可視光領域の互いに異なる選択反射波長を有するコレステリック液晶ポリマー層の反射基本単位Ｂの領域を同一平面上に複数配置して、互いに異なった波長の選択反射光を同一平面上の所定の領域から同時に生じさせることもできる。
　例えば、本発明の反射型液晶表示装置で多色表示をさせるためには、色分離層２０の同一平面内に、垂直に入射した光に対し、それぞれ４００〜５１０ｎｍ、５１０〜５９５ｎｍ、５９５〜７２０ｎｍの波長範囲に選択反射特性を有する３種類のコレステリック液晶ポリマー層を、それぞれストライプ状またはモザイク状に形成して配置することにより、選択反射の波長範囲を青（Ｂ）・緑（Ｇ）・赤（Ｒ）の色に相当する波長範囲にすることができるので、これらの各領域にそれぞれ表示画素を対応させることにより、表示色としてこれらの補色である黄（Ｙ）［青（Ｂ）の補色］、マゼンタ（Ｍ）［緑（Ｇ）の補色］、シアン（Ｃ）［赤（Ｒ）の補色］の多色表示が可能となる。
　【０１０７】
　また、色分離層２０の同一平面内に、垂直に入射した光に対し、それぞれ５１０〜７２０ｎｍ、４００〜５１０ｎｍと５９５〜７２０ｎｍ、４００〜５９５ｎｍの波長範囲内に選択反射特性を有する３種類のコレステリック液晶ポリマー層をそれぞれストライプ状またはモザイク状に形成して配置することにより、選択反射の波長範囲をシアン（Ｃ）・マゼンタ（Ｍ）・イエロ（Ｙ）の色に相当する波長範囲にすることができるので、これらの各領域にそれぞれ表示画素を対応させることにより、表示色としてこれらの補色である青（Ｂ）［黄（Ｙ）の補色］と緑（Ｇ）［マゼンタ（Ｍ）の補色］と赤（Ｒ）［シアン（Ｃ）の補色］による多色表示が可能となる。
　【０１０８】
　さて、本実施例の断面構造図（図１）では、前記液晶パネル１０の背後に色分離層２０を外付け配置し、該色分離層２０の背後に拡散反射層３０を配置する順序で示してあるが、これらの配置位置および配置順序は図８、図９、図１０、図１１に示した配置位置および配置順序にしても、ペーパーホワイトの様な輝度の高い白地に鮮やかで色純度が高い色表示が再現できる、という本発明の効果はそのまま保持される。従って、本実施例１の反射型液晶表示装置の構成要素の配置位置と配置順序は、実際に使用する用途に応じて、図１および図８〜図１１などの中から最適な配置位置と配置順序を選定すれば良い。
　【０１０９】
　図８は、色分解層２０を透明電極１２Ｂと透明基板１１Ｂの間に配置した構成となっている。従って、色分離層２０は液晶パネル１０に内面配置され、拡散反射層は外付け配置される。
　図９は、色分解層２０を透明電極１２Ｂの上に配置した構造となっている。従って、色分離層２０は液晶パネル１０に内面配置され、拡散反射層は外付け配置される。
　【０１１０】
　図１０は、色分解層２０を透明電極１２Ｂの下に配置し、透明電極１２Ｂの下に拡散反射層３０を配置し、拡散反射層３０の下に透明基板を配置した構成となっている。従って、色分離層２０と拡散反射層３０は液晶パネル１０に内面配置される。
　図１１は、色分解層２０を透明電極１２Ｂの上に配置し、さらに透明電極１２Ｂの下に拡散反射層３０を配置し、拡散反射層３０の下に透明基板を配置した構成となっている。従って、色分離層２０と拡散反射層３０は液晶パネル１０に内面配置される。
　【０１１１】
　ここで、コレステリック液晶ポリマー層より構成された色分離層２０は、同一分光特性のコレステリック液晶ポリマー層を液晶パネルの表示領域全面をカバーするサイズで形成しても良いし、各画素電極毎に異なった分光特性を有するコレステリック液晶ポリマー層を形成しても良い。この具体例を図１２と図１３に示す。
　【０１１２】
　図１２では、本発明の反射型液晶表示装置で、表示色として黄（Ｙ）とマゼンタ（Ｍ）とシアン（Ｃ）の３色の色再現を実現するには、選択反射の波長範囲が青（Ｂ）［黄（Ｙ）の補色］と緑（Ｇ）［マゼンタ（Ｍ）の補色］及び赤（Ｒ）［シアン（Ｃ）の補色］に相当する３種類のコレステリック液晶ポリマー層より形成された色分離層を作成する。即ち、裏電極の青色（Ｂ）・緑色（Ｇ）・赤色（Ｒ）に対応する電極１２ｂ、１２ｇ、１２ｒの上に、裏電極に対応して青色（Ｂ）・緑色（Ｇ）・赤色（Ｒ）の選択反射特性を有するコレステリック液晶ポリマー層より成る色分離層２０Ｂ、２０Ｇ、２０Ｒを形成する。
　【０１１３】
　図１３では、本発明の反射型液晶表示装置で、表示色として黄（Ｙ）とマゼンタ（Ｍ）とシアン（Ｃ）の３色の色再現を実現するには、裏基板と裏電極の間で、且つ、裏電極の青色（Ｂ）・緑色（Ｇ）・赤色（Ｒ）に対応する電極１２ｂ、１２ｇ、１２ｒの下に、裏電極に対応して青色（Ｂ）・緑色（Ｇ）・赤色（Ｒ）の選択反射特性を有するコレステリック液晶ポリマー層より成る色分離層２０Ｂ、２０Ｇ、２０Ｒを形成する。
　【０１１４】
　この様な構成を採ることにより、表示可能な色再現数を大幅に増加させることができる。勿論、黄色（Ｙ）・マゼンタ色（Ｍ）・シアン色（Ｃ）の様な３原色の構成でなはく、黄色（Ｙ）・マゼンタ（Ｍ）・シアン（Ｃ）・青色（Ｂ）・緑色（Ｇ）・赤色（Ｒ）などの色から任意な２つ以上の色の構成によるコレステリック液晶ポリマー層より成る色分離層でもよい。
　【０１１５】
　尚、前記液晶表示パネル１０は、ＭＩＭやＴＦＴなどのアクティブ素子と組み合わせて使用することもできる。
　（実施例２）
　図１は、本実施例の反射型液晶表示装置の概略構造を示す断面図である。
　図１に示すように、液晶パネル１０は、パターニングされた透明電極１２Ａ、１２Ｂを備えた一対の透明基板１１Ａ，１１Ｂと、該透明基板１１Ａ，１１Ｂとの間に狭持された光変調層１３より構成されている。尚、セルギャップは１０μｍになるように前記液晶パネル１０を作成した。前記液晶パネル１０の背後（図１に於いて下側）に色分離層２０を配置すると共に、該色分離層２０の背後に反射層３０を配置した。
　【０１１６】
　尚、液晶パネル１０および反射層３０は、実施例１と同様な方法で製作した。
　色分離層２０として、本実施例では、可視光領域の特定波長範囲の光を透過させると共にその他の可視光を反射させる特性を示す誘電体多層薄膜を用いた。誘電体多層膜による色分離層２０は、屈折率が相対的に高い透光性誘電体薄膜と屈折率が相対的に低い透光性誘電体薄膜とを交互に積層して形成する。このとき、積層する各誘電体多層薄膜の光学的厚さは反射したい中心波長の１／４波長にする。
　【０１１７】
　各誘電体薄膜の境界では、下式に示すように屈折率の差が大きいほど反射率は大きくなる。
　　　　Ｒ＝　｛（ｎ２−ｎ１）２／（ｎ２十ｎ１）２｝×１００　　［％］
　ここで、Ｒは隣接して積層する二枚の薄膜境界での反射率であり、ｎ２、ｎ１は各誘電体薄膜の屈折率である。
　誘電体薄膜に用いられる材料は、低屈折率透光性誘電体薄膜用としてはＳｉＯ２、ＭｇＦ２、Ｎａ３ＡｌＦ６等が、また、高屈折率透光性誘電体薄膜としてＴｉＯ２、ＺｒＯ２、Ｔａ２Ｏ５、ＺｎＳ、ＺｎＳｅ、ＺｎＴｅ、Ｓｉ、Ｇｅ、Ｙ２Ｏ３、Ａｌ２Ｏ３等が用いられている。必要とする反射波長帯、透過波長帯、および反射率、透過率に応じて、誘電体材料、膜厚、層数を設定する。また、これらの誘電体薄膜は、真空蒸着法やスパッタリング法などによって容易に形成できる。尚、誘電体多層薄膜は、多層薄膜の構成を変化させることで種々の分光特性が得られ、金属薄膜に比べ設計自由度が高い。
　【０１１８】
　本実施例では、緑色光、赤色光、青色光を透過する３種類の誘電体多層薄膜の色分離層２０を、真空蒸着器でそれぞれ作成した。これら誘電体多層薄膜の色分離層２０は、平滑で透明なガラス基板上に、高屈折率膜にはＴｉＯ２を、低屈折率膜にはＳｉＯ２を用い、合わせて２５〜３０層を積層して作成した。図１４、図１５、図１６は、それぞれ前記緑色光、赤色光、青色光を透過する誘電体多層薄膜の色分離層２０を分光光度計で測定した波長一透過率特性の図である。
　【０１１９】
　この様にして製作した緑色光、赤色光、青色光を透過する３種類の誘電体多層薄膜の色分離層２０をそれぞれ使用して、緑色表示用、赤色表示用、青色表示用の光散乱モードの反射型液晶表示装置を３種類作成した。
　これら反射型液晶表示装置を白色光照明の室内で観測すると、駆動電圧を印加していない場合は、図２の原理図に示す様に、入射光Ｌ１は光変調層で散乱されて後方散乱光Ｌ２や前方散乱光Ｌ５、Ｌ８などになり、これら散乱光が合成され白色化した光を観測者が見ることになる。尚、誘電体多層薄膜２０’の色分離層２０は光の吸収損失が非常に少なく、且つ、光の反射・透過特性が非常に優れている。従って、光の利用効率が非常に良いので、ペーパーホワイトの様な輝度の非常に高い白色として観測される。
　【０１２０】
　一方、駆動電圧を十分に印加している場合は、図３の原理図に示す様に、光変調層は透明であるため、入射光Ｌ１は、色分離層２０の透過光に対応した色の光が拡散反射層３０で高効率的に拡散反射され（Ｌ７）、この拡散反射光Ｌ７がそのまま観測者の目に到達する。従って、観測者は非常に鮮やかで色純度の高い色を見ることができる。
　【０１２１】
　即ち、緑色光、赤色光、青色光を透過する３種類の誘電体多層薄膜の色分離層２０をそれぞれ設置した反射型液晶表示装置では、ペーパーホワイトの様な非常に輝度の高い白地に、鮮やかで色純度が高い緑色、赤色、青色の表示がそれぞれ得られた。
　以上の様にして作製した本実施例のポリマーネットワーク型の高分子分散型液晶表示パネルを使用した反射型液晶表示装置の反射率および色特性を、ＤＩＮ（５０３３Ｔｅｉｌ７）およびＩＳＯ（７７２４／１）準拠のｄ／８光学系の測定方式、ＪＩＳでは、ＪＩＳ−Ｚ８７２２−１９８２の拡散照明／垂直受光方式に該当する測定方式を採用している分光測色計［ミノルタ（株）ＣＭ２００２］で測定（正反射除去モード）した結果を表１に示す。
　【０１２２】
　【表１】
　【０１２３】
　表１より明らかな様に、本発明の実施例１で作成した緑色光、赤色光、青色光を透過する３種類の誘電体多層薄膜の色分離層をそれぞれ設置した反射型液晶表示装置は、電圧無印加の場合は、ペーパーホワイトの様な非常に輝度の高い白さを実現し、電圧印加の場合は、鮮やかで色純度が高い緑色、赤色、青色の表示色がそれぞれ得られていることを測定データが示している。
　【０１２４】
　この様にして作製した液晶パネル１０、および反射層３０を使用し、また、色分離層２０として、緑色光、赤色光、青色光を透過する３種類の誘電体多層薄膜の色分離層２０を使用して、緑色表示用、赤色表示用、青色表示用の光散乱モードの反射型液晶表示装置を３種類作製し、それぞれ時計用駆動ＩＣと電池に接続して、図３３に示した様なデジタル腕時計に組み込んだ。これらを白色光垂直入射の条件で観測すると、駆動電圧無印加の領域ではペーパーホワイトのような高輝度な白色が観測され、また、駆動電圧が印加されているセグメント表示部の領域では鮮やかで色純度が高い緑色、赤色、青色の表示がそれぞれ観測された。これにより、真綿の様な白い背景に色鮮やかなセグメントの時刻表示が表現でき、時計の表示品質を格段に向上させることができた。
　【０１２５】
　尚、駆動電圧は３Ｖと低く、消費電流も液晶パネル単独で０．３２μＡであった。電池としてＣＲ２０２５型リチウム電池を使用して、腕時計として３年以上の電池寿命を実現した。
　（実施例３）
　図１は、本実施例の反射型液晶表示装置の概略構造を示す断面図である。
　【０１２６】
　図１に示すように、液晶パネル１０は、パターニングされた透明電極１２Ａ、１２Ｂを備えた一対の透明基板１１Ａ，１１Ｂと、該透明基板１１Ａ，１１Ｂとの間に狭持された光変調層１３より構成されている。尚、セルギャップは１０μｍになるように前記液晶パネル１０を作成した。前記液晶パネル１０の背後（図１に於いて下側）に色分離層２０を配置すると共に、該色分離層２０の背後に反射層３０を配置した。
　【０１２７】
　尚、色分離層２０、および反射層３０は、実施例１と同様な方法で製作した。
　光変調層１３としては、コレステリック・ネマチック相転移型液晶中に分散した３次元網目状の光硬化性樹脂により安定化したプレーナテクスチャーまたはフォーカルコニックテクスチャーを有する構造である高分子安定化相転移型液晶層を用いた。
　【０１２８】
　塩素系ネマチック液晶ＴＬ２１５（メルク社製）９５．７重量％、カイラル剤Ｓ８１１（メルク社製）２．３重量％、高分子樹脂前駆体２．７−ジアクリロイルオキシフルオレン１．９重量％、重合開始剤ベンゾインメチェーテル０．１重量％の混合液をアイソトロピック状態で水平配向処理した実施例１と同じ空セルに真空注入した。このセルを２１℃に保ちながら、３５０ｎｍから４００ｎｍの紫外線を透過するフィルターを使用したメタルハライドランプで、０．１ｍＷ／ｃｍ２の照射強度で６０分間照射後、４０ｍＷ／ｃｍ２の強度で２０秒照射し、高分子樹脂前駆体を硬化した。
　【０１２９】
　このようにして得られた液晶パネル１０の光変調層１３を走査型電子顕微鏡を用いて観察したところ、高分子からなる三次元ネットワーク構造が確認できた。
　また、キャノン製ホトメータにより電気光学特性を測定した。電圧無印加時の絶対透過率をＴ０、電圧無印加時の相対透過率を１００％と、印加電圧の増大に伴って透過率が減少飽和する時の透過率を０％とし、１０％の透過率を示す印加電圧をＶｓａｔと、９０％の透過率を示す印加電圧をＶｔｈとする。
測定の結果は、以下の通りである。
　【０１３０】
　　　　Ｖｔｈ　　　　　　　　　　３．６Ｖ
　　　　Ｖｓａｔ　　　　　　　　　５．７Ｖ
　　　　Ｔ０　　　　　　　　　　　８２％
　　　　Ｖｓａｔ時の絶対透過率　　３．６％
　　　　Ｖｓａｔ時の消費電流　　　０．９５μＡ／ｃｍ２
　この様にして作製した液晶パネル１０、および反射層３０を使用し、また、色分離層２０として、緑色光、赤色光、青色光を透過する３種類の誘電体多層薄膜の色分離層２０を使用して、緑色表示用、赤色表示用、青色表示用の光散乱モードの反射型液晶表示装置を３種類作製し、それぞれ時計用駆動ＩＣと電池に接続して、図３３に示した様なデジタル腕時計に組み込んだ。これらを白色光垂直入射の条件で観測すると、駆動電圧無印加の領域ではペーパーホワイトのような高輝度な白色が観測され、また、駆動電圧が印加されているセグメント表示部の領域では鮮やかで色純度が高い緑色、赤色、青色の表示がそれぞれ観測された。これにより、真綿の様な白い背景に色鮮やかなセグメントの時刻表示が表現でき、時計の表示品質を格段に向上させることができた。尚、駆動電圧は６Ｖで、消費電流は液晶パネル単独で０．６４μＡであった。電池としてＣＲ２０２５型リチウム電池を使用して、腕時計として２年以上の電池寿命を実現した。
　【０１３１】
　（実施例４）
　図６は、本実施例の反射型液晶表示装置の断面構造図である。図に示すように、液晶パネル１０は、パターニングされた透明電極１２Ａ、１２Ｂを備えた一対の透明基板１１Ａ，１１Ｂと、該透明基板１１Ａ，１１Ｂとの問に狭持された光変調層１３より構成されている。尚、セルギャップは１０μｍになるように液晶パネル１０を作成した。さらに、この液晶パネル１０の観測者に最も近い面（図６に於いて上側）に反射防止層４０を配置し、前記反射防止層４０の背後に紫外線遮断層４５を配置し、前記液晶パネル１０の背後（図６に於いて下側）に色分離層２０を配置すると共に、該色分離層２０の背後に反射層３０を配置した。
　【０１３２】
　尚、液晶パネル１０、色分離層２０、および反射層３０は、実施例２と同様な方法で製作した。
　光散乱モードの反射型液晶表示装置では偏光板が不要であるため、紫外線に弱い液晶層を何らかの方法で保護する必要がある。また、液晶パネル表面における外光の不必要な反射のため、表示内容が視認し難いといった問題や、外光の利用効率が低下するといった問題などがある。
　【０１３３】
　これらの問題を解消するために、本実施例の反射型液晶表示装置では、観測者に最も近い液晶パネルの上面に反射防止層４０と紫外線遮断層４５を配置した。
　尚、紫外線遮断層と反射防止層の２種類の膜をそれぞれ個別に液晶パネル１０に配置する方法の他に、紫外線遮断層と反射防止層とを一体化したものを液晶パネル１０に配置する方法がある。尚、前者よりも後者の方が実用上効果が大きいので好ましい。
　【０１３４】
　反射防止膜４０は、液晶パネル表面で起こる外光の不必要な反射に起因した視認性悪化を防止するために設置した。この反射防止層４０は、透明基板または透明電極と屈折率を調整したＳｉＯ２、ＴｉＯ２、ＺｒＯ２、ＭｇＦ２、Ａｌ２Ｏ３、ＣｅＦ３等の無機物やポリイミドなどの有機物の単層または多層の干渉膜か、若しくは、表面（光が入射してくる側の面）側に微細な凹凸を有する膜であって散乱により正反射を防止する膜か、若しくは両者の複合体などでも良い。
　【０１３５】
　また、紫外線遮断層は、３９０ｎｍ以下の短波長の紫外線を吸収もしくは反射する様に作成された透明なガラス板や透明プラスチック・シート等である。
　具体的に本実施例では、紫外線遮断層４５として、ベンゾトリアゾール系の紫外線吸収剤を約０．１％含有したＴＡＣ（トリアセチルセルロース）を用い、ＴＡＣの上面に反射防止層４０を真空蒸着器で形成した。この反射防止層４０には低屈折率膜としてＭｇＦ２（ｎ＝１．３８）を、高屈折率膜としてＴｉＯ２（ｎ＝２．３）を、中屈折率膜としてＣｅＦ３（ｎ＝１．６３）を用いて、合わせて４層を積層して作成した。尚、ＴＡＣ（トリアセチルセルロース）の下面には透明な接着剤層を配置した。
　【０１３６】
　この様にして作成した紫外線遮断層と反射防止層が一体化したものを、液晶パネル１０の透明基板１１Ａの表面に貼り、その反射スペクトルを測定した。測定結果は図１７の（イ）の様になった。尚、図１７の（ロ）は、紫外線遮断層と反射防止層を一体化した膜が無い場合である。この図より明らかな様に、４００ｎｍ〜７００ｎｍの範囲に渡って反射率が大幅に低減している。このため、実施例２の紫外線遮断層＋反射防止層を設けた反射型液晶表示装置の方が、紫外線遮断層＋反射防止層を設けていない反射型液晶表示よりも、液晶パネル表面での外光の反射による表示内容の視認性の悪さがかなり改善され、且つ、耐光試験での紫外線による液晶の劣化が格段に改善された。
　【０１３７】
　（実施例５）
　図６は、本実施例の反射型液晶表示装置の概略断面構造図である。図に示すように、液晶パネル１０は、パターニングされた透明電極１２Ａ、１２Ｂを備えた一対の透明基板１１Ａ、１１Ｂと、該透明基板１１Ａ、１１Ｂとの間に狭持された光変調層１３より構成されている。尚、セルギャップが１０μｍになるように液晶パネル１０を作製した。さらに、この液晶パネル１０の観測者に最も近い面（図６に於いて上側）に反射防止層４０を配置し、反射防止層４０の背後に紫外線遮断層４５を配置し、液晶パネル１０の背後（図６に於いて下側）に色分離層２０を配置すると共に、色分離層２０の背後に蓄光特性を有する反射層３０を配置して反射型液晶表示装置を構成した。尚、液晶パネル１０、色分離層２０、および反射防止層４０は、実施例４と同様な方法で製作した。
　【０１３８】
　本実施例に於いて、反射層３０は、蓄光特性を有する物質で構成された反射層を用いた。この蓄光材料は、照明や昼光等の紫外線の光エネルギーを吸収蓄積し、この吸収蓄積した光エネルギーを利用して自ら発光する材料であるので、この蓄光特性を有する物質で構成された反射層を用いる事により、周囲環境が暗くなった時でも明るく視認性のある省電カタイブの液晶表示装置を実現することができる。
　【０１３９】
　本実施例では、具体的には、蓄光性の良好なストロンチウムアルミネートＳｒＡｌ２Ｏ４を母体結晶にして希土類元素を添加した材料（根本特殊化学社製）を蓄光材料として用い、この材料をパルプ材に塗布することにより、蓄光特性を有する反射層を製作した。この蓄光材料は、紫外線（特に３７０ｎｍ〜４００ｎｍ）の範囲の光エネルギーを効率よく吸収蓄積し、発光効率も非常に良好である。
　【０１４０】
　本実施例に於いて、紫外線遮断層４５は、反射層の蓄光特性に必要な波長の紫外線を透過し、かつ同時に、液晶層に有害な波長の紫外線を遮断する特性を有した紫外線遮断層を使用した。即ち、この紫外線遮断層４５は、３７０ｎｍ以下の短波長の紫外線を吸収もしくは反射するように作製された透明なガラス基板や透明プラスチックシート等である。具体的には、紫外線吸収剤を含有したＴＡＣ（トリアセチルセルロース）を用いて作製した。
　【０１４１】
　また同時に、反射防止層４０は、紫外線領域（特に３７０ｎｍ〜４００ｎｍ）の分光特性を紫外線遮断層４５の分光特性に合致させるため、３７０ｎｍ以上の紫外線から可視光までの光を良好に透過する特性を有する様に作製した。
　また同時に、色分離層２０は、可視光領域の特定波長範囲の光と３７０ｎｍから４００ｎｍの紫外線を透過させると共に、その他の光を反射させる特性を有する誘電体多層薄膜を作製した。
　【０１４２】
　この様にして作製した紫外線遮断層４５と反射防止層４０を一体化したものを液晶パネル１０の透明基板１１Ａの表面に貼り、および蓄光特性を有する白色拡散層を反射層３０として使用し、また、色分離層２０として、紫外線（特に３７０ｎｍ〜４００ｎｍ）と緑色光、紫外線（特に３７０ｎｍ〜４００ｎｍ）と赤色光、紫外線（特に３７０ｎｍ〜４００ｎｍ）と青色光を透過する３種類の誘電体多層薄膜の色分離層２０を使用して、緑色表示用、赤色表示用、青色表示用の光散乱モードの反射型液晶表示装置を３種類作製した。これら３種類の反射型液晶表示装置を蛍光灯下に５分放置した後、暗室にて表示確認を行ったところ、全てはっきりとした表示が視認でき、この状態が１時間以上持続した。これより、周囲環境が暗くなった時でも明るい表示が確保できることが確認された。
　【０１４３】
　また、これら３種類の反射型液晶表示装置に対してサンシャインカーボンアーク試験を行った結果、今回作製した紫外線遮断層４５の有無により、液晶の劣化が格段に異なり、紫外線遮断層を具備した反射型液晶表示装置の液晶は、ほとんど劣化が認められず安定である事が確認された。
　従って、本実施例の様にして作製された紫外線遮断層４５、反射防止層４０、色分離層２０、及び蓄光特性を有する物質で構成された反射層３０を組み合わせた反射型液晶表示装置により、周囲環境が暗くなった場合でも、明るく視認性の高い状態を長時間維持する省電カタイブの液晶表示装置を実現することができた。
　【０１４４】
　（実施例６）
　図６は、本実施例の反射型液晶表示装置の概略断面構造図である。図に示すように、液晶パネル１０は、パターニングされた透明電極１２Ａ、１２Ｂを備えた一対の透明基板１１Ａ、１１Ｂと、該透明基板１１Ａ、１１Ｂとの間に狭持された光変調層１３より構成されている。尚、セルギャップが１０μｍになるように液晶パネル１０を作製した。さらに、この液晶パネル１０の観測者に最も近い面（図６に於いて上側）に反射防止層４０を配置し、反射防止層４０の背後に紫外線遮断層４５を配置し、液晶パネル１０の背後（図６に於いて下側）に色分離層２０を配置すると共に、色分離層２０の背後に蛍光特性を有する反射層３０を配置して反射型液晶表示装置を構成した。尚、光変調層１３、色分離層２０、反射防止層４０は、実施例５と同様な方法で製作した。
　【０１４５】
　本実施例に於いて、反射層３０に蛍光特性を有する白色拡散反射層を用いた。蛍光特性を有する物質は、昼光（日光）、蛍光灯、水銀灯等の人工の光の照射により刺激を受け発光し、照射が無くなると発光しなくなる。
　本実施例では、パルプ紙を蛍光性増白剤で染色することにより、蛍光性白色拡散反射層はを作製した。蛍光増白剤は、日本化薬（株）製のＫａｙａｐｈｏｒ　３ＢＳ　Ｌｉｑｕｉｄを用いた。蛍光増白剤は、人間が視認出来ない紫外線等の波長域の光を効率良く可視光域の光に変換することのできる薬品であり、光拡散反射層の更なる輝度向上を計ることができ、これにより、反射型液晶表示装置としての輝度をさらに向上させることができる。
　【０１４６】
　この蛍光拡散反射層の形成は、蛍光性増白剤で染色する方法の他、蛍光増白剤でコーティングする方法や、バインダーと呼ばれる樹脂等と蛍光増白剤を混合して印刷等により形成する方法を用いてもよい。
　この蛍光増白剤は、紫外線（特に３７０ｎｍ〜４００ｎｍ）を効率良く可視光域の光に変換することのができる。
　【０１４７】
　本実施例に於いて、紫外線遮断層４５は、反射層の蛍光に必要な波長の紫外線（特に３７０ｎｍ〜４００ｎｍ）を透過し、かつ同時に、液晶層に有害な波長の紫外線を遮断する特性を有した紫外線遮断層を使用した。即ち、この紫外線遮断層４５は、３７０ｎｍ以下の短波長の紫外線を吸収もしくは反射するように作製された透明なガラス基板や透明プラスチックシート等である。具体的には、紫外線吸収剤を含有したＴＡＣ（トリアセチルセルロース）を用いて作製した。
　【０１４８】
　また同時に、反射防止層４０は、紫外線領域（特に３７０ｎｍ〜４００ｎｍ）の分光特性を紫外線遮断層４５の分光特性に合致させるため、３７０ｎｍ以上の紫外線から可視光までの光を良好に透過する特性を有する様に作製した。
　また同時に、色分離層２０は、可視光領域の特定波長範囲の光と３７０ｎｍから４００ｎｍの紫外線を透過させると共に、その他の光を反射させる特性を有する誘電体多層薄膜を作製した。
　【０１４９】
　この様にして作製した液晶パネル１０、紫外線遮断層４５、反射防止層４０、および蛍光特性を有する白色拡散の反射層３０を使用し、また、色分離層２０として、紫外線（特に３７０ｎｍ〜４００ｎｍ）と緑色光、紫外線（特に３７０ｎｍ〜４００ｎｍ）と赤色光、紫外線（特に３７０ｎｍ〜４００ｎｍ）と青色光を透過する３種類の誘電体多層薄膜の色分離層２０を使用して、緑色表示用、赤色表示用、青色表示用の光散乱モードの反射型液晶表示装置を３種類作製し、それぞれ時計用駆動ＩＣと電池に接続して、３３に示した様なデジタル腕時計に組み込んだ。これらを白色光垂直入射の条件で観測すると、駆動電圧無印加の領域では、蛍光白色拡散反射層の効果を反映して、ペーパーホワイトのような非常に高輝度な白色が観測され、また、駆動電圧が印加されているセグメント表示部の領域では、鮮やかで色純度が高い緑色、赤色、青色の表示がそれぞれ観測された。これにより、真綿の様な白い背景に、色鮮やかなセグメントの時刻表示が表現でき、表示品質を格段に向上させることができた。尚、駆動電圧は３Ｖと低く、消費電流も液晶パネル単独で０．３２μＡであった。電池としてＣＲ２０２５型リチウム電池を使用して、腕時計として３年以上の電池寿命を実現した。
　【０１５０】
　（実施例７）
　図１８は、本実施例の反射型液晶表示装置の断面構造図である。図１８に示すように、液晶パネル１０は、パターニングされた透明電極１２Ａ、１２Ｂを備えた一対の透明基板１１Ａ、１１Ｂと、該透明基板１１Ａ、１１Ｂとの間に狭持された光変調層１３より構成されている。尚、セルギャップは１０μｍになるように前記液晶パネル１０を作製した。前記液晶パネル１０の背後（図１８に於いて下側）に色分離層としてブラッグ反射層２０を配置すると共に、該ブラッグ反射層２０の背後に反射層３０を配置した。尚、液晶パネル１０は、実施例２と同様な方法で製作した。
　【０１５１】
　本実施例では、反射層３０として、鮮やかな色純度の高い色を実現するため、反射率特性の優れた正反射板として、アルミニウムを使用した。反射層３０は、鮮やかな色純度の高い色を実現するための重要な働きをする。鮮やかな色純度の高い色を実現するためには、可視光領域の全波長に渡って反射率が均一で高い特性を持った正反射層を用いることが望ましい。また、反射層３０の厚さは、背後の物体の色に影響されない程度の厚さを有していることが望ましい。尚、反射層３０には、アルミニウムに限らず本発明の所望の透過率の範囲にて幅広く選択することができる。本発明では、アルミニウムの他に銀、ニッケル、クロム、パラジウム等の金属やその合金あるいはその酸化物等でもよい。なお、合金の一例としては、ニクロムでＮｉ８０％、Ｃｒ２０％の合金がある。また、２種類の金属膜の組み合わせでもよい。例えば、銀を約１００オングストローム製膜後、アルミニウムを約５０オングストローム製膜して反射層３０を形成した。
　【０１５２】
　また、反射層３０を誘電体多層膜で形成してもよく、Ｓｉ、ＳｉＯ２、Ｇｅ、Ｙ２Ｏ３、Ａｌ２Ｏ３、ＭｇＦ２、Ｎａ３ＡｌＦ６、ＴｉＯ２、ＺｒＯ２、Ｔａ２Ｏ５、ＺｎＳ、ＺｎＳｅ、ＺｎＴｅ等の膜を、必要とする反射率、透過率に応じて材料、膜厚、層数を設定する。
　本実施例では、ブラッグ反射層２０として、体積ホログラムポラロイド社製（ＨＢ−ＧＳ）を用いた。図２１は本実施例で用いた体積ホログラムの緑色光を回折するブラッグ反射層２０を分光反射率計で測定した波長一反射率特性を表す図である。尚、分光反射率の測定は、測定機に（日立、３３０型、自記分光光度計）を用いて、測定方式は、ＪＩＳ２８７２２の条件ＩＩＩで測定した結果である。
　【０１５３】
　この様にして緑色光を回折する体積ホログラム２０Ａからなるブラッグ反射層２０をそれぞれ使用して、緑色表示用の光散乱モードの反射型液晶表示装置を作製した。前記緑色表示用の光散乱モードの反射型液晶表示装置を、室内６０Ｗの蛍光灯の下で観測したところ、ペーパーホワイトの白地に、色鮮やかな緑色の表示が得られた。
　【０１５４】
　また、体積ホログラムからなるブラッグ反射層２０に赤色表示用（ＨＢ−ＲＳ）、青色表示用（ＨＢ−ＢＳ）を用いることにより、同様にペーパーホワイトの白地に、色鮮やかな赤色あるいは青色の表示が得られた。
　（実施例８）
　図２６に、本発明の反射型液晶表示装置の製造方法の一実施例を示す。まずはじめに、図２６（ａ）に示すように、透明基板１ａ上に光拡散反射層３を形成する。すなわち、透明基板１ａの表面にスパッタリング法により０．５μｍの膜厚の金属銀を成膜した後、サンドブラスト法により表面に微細な凹凸を形成する。この工程により金属光沢を有した銀表面を光拡散性のある表面に加工変性する。この様にして、光拡散反射層３が金属銀により形成された。この表面の粗さは、ＲＡ値で１０００になるようにサンドブラスト条件を調整した。この光拡散反射層の反射効率は、ミノルタ製分光測色計ＣＭ２００２での測定の結果、標準拡散板を１００とすると１４０の値を示し極めて明るい反射層になった。ここで、ＲＡの定義は、中心線平均粗さで、日本真空技術製ＤＥＫＴＡＫＩＩＡで測定したものである。
　【０１５５】
　次に（ｂ）では、真空蒸着装置を用いた誘電体多層薄膜により、赤色を透過しその他の可視光を反射する色分離層２Ｒを成膜した。この赤色透過色分離層の構成（光学的膜厚ｎ×ｄ、単位；ｎｍ、ｎは屈折率、ｄは膜厚）は次の様である。
｛｝ｘのｘは積層繰り返し回数を示す。このような誘電体多層薄膜により得られる分光特性を図３０に示す。図３０からわかるように、赤色透過色分離層２Ｒは赤色を示す６３０ｎｍ付近の透過率が極めて高く、色純度が良好である。
　【０１５６】
　赤色透過色分離層の構成；ＺｎＳ（５４）／｛ＳｉＯ２（１０８）／ＺｎＳ（１０８）｝３／｛ＳｉＯ２（１２８）／ＺｎＳ（１２８）｝３／ＳｉＯ２（１２８）／ＺｎＳ（６４）
　この誘電体多層薄膜２Ｒ表面に感光性レジスト１１を塗布し、所望のパターンを有したマスク１２を用いて紫外線露光（図２６ｃ）後、エッチングして色分離層２Ｒのパターン（図２６ｅ）を得た。同様にして、緑色透過と青色透過の色分離層２Ｇ、２Ｂを作成した（図２６ｆ）。この緑色と青色の色分離層２Ｇ、２Ｂの構成（工学的膜厚ｎ×ｄ、単位；ｎｍ）は次のようである。
　【０１５７】
　緑色透過色分離層２Ｇの構成；ＣｅＦ３（８３）／｛ＣｅＯ２（１６６）／ＳｉＯ２（１６６）｝３／ＣｅＯ２（１６６）／ＣｅＦ３（８３）／｛ＣｅＯ２（１０４）／ＳｉＯ２（１０４）｝２／ＣｅＯ２（１０４）／ＳｉＯ２（２０９）
　青色透過色分離層２Ｂの構成；ＣｅＦ３（７２）／｛ＣｅＯ２（１４４）／ＳｉＯ２（１４４）｝３／ＣｅＯ２（１４４）／ＣｅＦ３（７２）
　また、図３１、図３２にそれぞれの分光特性を示す。図３１、図３２に示した緑色透過及び青色透過色分離層２Ｇ、２Ｂもまた、５４０ｎｍ付近の緑色および４６０ｎｍ付近の青色の透過率が極めて高く、良好な色純度を有している。
　次に、図２６（ｇ）に示すように色分離層２Ｒ・２Ｇ・２Ｂの表面上に透明電極４ａをスパッタリング法により成膜形成した。この透明電極４ａはＩＴＯと呼ばれるインジウムとすずの酸化物でシート抵抗値を２０Ω／□とした。
　【０１５８】
　その後図２６（ｈ）、（ｉ）で示すようにフォトリソグラフィー法により、色分離層２Ｒ・２Ｇ・２Ｂと同様な透明電極パターン４ａに形成した。
　このようにして形成した光拡散反射層３、色分離層２Ｒ・２Ｇ・２Ｂおよび透明電極４ａを形成した透明基板１ａとパターニングされた透明電極４ｂが設けられた対向基板１ｂとにより図２５に示すような反射型液晶表示装置のセルを形成した。このときにセルギャップが８μｍおよび１６μｍになるようスペーサーを選択・散布し、対向基板１ｂの外周部にシール剤を印刷塗布して熱圧着方式によりセルを製作した。
　【０１５９】
　このセルに高分子分散液晶５としてＰＮ−ＬＣ（大日本インキ製ＰＳＩ−１０１０）を注入し、３０００ｍｊ／ｃｍ２のエネルギー強度の紫外線照射により白濁性を有する光変調層を形成した。同時に、同一条件でパターニングしない１枚のセル全体をカバーする色分離層２Ｒ、２Ｇ、２Ｂをそれぞれ有した評価用反射型液晶表示装置と標準白色板を反射層としただけの色分離層を用いない比較用反射型液晶表示装置も製作した。
　【０１６０】
　このようにして作成した評価用反射型液晶表示装置に駆動電圧０Ｖと５Ｖを印加して、カラー表示の色レベル（ＣＩＥ１９３１標準表色系のＸＹＺ表色系）を示すｘ、ｙ値と明るさを示すＹ値を測定した結果を表２に示す（測定器はミノルタ製分光測色計ＣＭ２００２で正反射除去モードでの測定）。
　【０１６１】
　【表２】
　【０１６２】
　表２からわかるように、電圧０Ｖ時では標準白色板と同程度の色純度を有し、赤色、緑色、青色とも明るく色純度が良好なカラー表示の反射型液晶表示装置が製作された。
　さらに、図２５に示した本発明による反射型液晶表示装置を、各信号電極４ａと走査電極４ｂの交点の各画素部に印加される電圧が、ＰＮ−ＬＣ５の飽和電圧以上になるような条件で駆動させたところ、明るいペーパーホワイトの白色を背景にし赤色、緑色、青色の３色を組み合わせた種々の美しいカラー表示が得られた。
　【０１６３】
　また別のマルチカラー表示例として、色分離層の同一平面上に、デジタル腕時計の７セグメント構成の文字の各セグメントに対応する領域を、上記色分離層の作製方法と同様な方法で、７種類の異なる色相（赤、緑、青、黄色、赤紫、青緑、橙）の色分離層を形成した。この様に作製した色分離層や液晶パネルおよび反射層３０を使用して、光散乱モードの反射型液晶表示装置を作製し、時計用駆動ＩＣと電池に接続して、図３３に示した様なデジタル腕時計に組み込んだ。このデジタル腕時計の表示状態を観察すると、真綿の様に白い背景に、７セグメント構成の文字の各セグメントがそれぞれ異なった鮮やかな７種類の色で表示されるので、非常にカラフルで明るく楽しく、斬新なデザインの表示となることを確認する事ができた。
　【０１６４】
　以上のように、本発明によれば明るい白色を背景にしたマルチカラー表示可能な反射型液晶表示装置を実現できる。
　（実施例９）
　図２７により他の本発明の実施例について説明する。図２７は、実施例８の光拡散反射板３を基板１ａの反対側に作成する場合の本発明による反射型液晶表示装置を示す断面模式図である。
　【０１６５】
　まずはじめに、基板１ａのいずれか一方にポリエステルフィルム等の高分子樹脂フィルムに高反射・高拡散処理を施した光拡散反射板３（東レ製ルミラーＥ−６０）を張り付けた。
　次に、この光拡散反射層３とは反対側の基板１ａの表面に、実施例１と同一の色分離層２Ｒ、２Ｇ、２Ｂおよび透明電極４ａを図２６で説明した方法で形成した。その後は実施例１と同様な製造方法により光変調層５の厚さ８μｍおよび１６μｍの２種類で、図２７に示す反射型液晶表示装置を作成した。
　【０１６６】
　実施例１と同様にして評価用反射型液晶表示装置を作成し、同様に駆動電圧０Ｖと５Ｖを印加して、カラー表示の色レベル（ＣＩＥ１９３１標準表色系のＸＹＺ表色系）を示すｘ、ｙ値と明るさを示すＹ値を測定した結果を表３に示す（測定器はミノルタ製分光測色計ＣＭ２００２で正反射除去モードでの測定）。
　【０１６７】
　【表３】
　【０１６８】
　表３からわかるように、電圧０Ｖ時では標準白色板と同程度の色純度を有し、赤色、緑色、青色とも明るく色純度が良好なカラー表示の反射型液晶表示装置が製作された。
　さらに、図２５に示した本発明の反射型液晶表示装置を、各信号電極４ａと走査電極４ｂの交点の各画素部に印加される電圧が、ＰＮ−ＬＣ５の飽和電圧以上になるような条件で駆動させたところ、明るいペーパーホワイトの白色を背景にし赤色、緑色、青色の３色を組み合わせた種々の美しいカラー表示を得た。
　【０１６９】
　また別のマルチカラー表示例として、色分離層の同一平面上に、デジタル腕時計の７セグメント構成の文字の各セグメントに対応する領域を、上記色分離層の作製方法と同様な方法で、７種類の異なる色相（赤、緑、青、黄色、赤紫、青緑、橙）の色分離層を形成した。この様に作製した色分離層や液晶パネルおよび反射層３０を使用して、光散乱モードの反射型液晶表示装置を作製し、時計用駆動ＩＣと電池に接続して、図３３に示した様なデジタル腕時計に組み込んだ。このデジタル腕時計の表示状態を観察すると、真綿の様に白い背景に、７セグメント構成の文字の各セグメントがそれぞれ異なった鮮やかな７種類の色で表示されるので、非常にカラフルで明るく楽しく、斬新なデザインの表示となることを確認する事ができた。
　【０１７０】
　以上のように、本発明によれば、明るい白色を背景にしたマルチカラー表示可能な反射型液晶表示装置を実現することができる。
　（実施例１０）
　図２８によりさらに他の本発明の実施例について説明する。図２８は、実施例８の場合と基板１の反対側に光拡散反射板３及び色分離層２Ｒ、２Ｇ、２Ｂを製作した本発明の製造方法による反射型液晶表示装置を示す断面模式図である。
　【０１７１】
　まずはじめに、基板１ａ表面のいずれか一方に実施例１と同一の色分離層２Ｒ、２Ｇ、２Ｂを形成した。この色分離層２Ｒ、２Ｇ、２Ｂの表面に、ポリカーボネイトフィルム等の高分子樹脂フィルムに銀粒子や酸化チタン粒子を均一分散処理をした高反射・高拡散性を有する光拡散反射板３（尾池製作所製高反射高拡散反射ＳＲフィルム）を貼り付けた。
　【０１７２】
　次に、この色分離層２Ｒ、２Ｇ、２Ｂおよび光拡散反射層３とは反対の基板１ａの表面に、実施例１と同様に透明電極４ａを形成した。
　その後は実施例１と同様な製造方法により光変調層５の厚さ８μｍおよび１６μｍの２種類で、図２７に示す反射型液晶表示装置を作成した。
　実施例１と同様にして評価用反射型液晶表示装置を作成し、同様に駆動電圧０Ｖと５Ｖを印加して、カラー表示の色レベル（ＣＩＥ１９３１標準表色系のＸＹＺ表色系）を示すｘ、ｙ値と明るさを示すＹ値を測定した結果を表４に示す（測定器はミノルタ製分光測色計ＣＭ２００２で正反射除去モードでの測定）。
　【０１７３】
　【表４】
　【０１７４】
　表４からわかるように、電圧０Ｖ時では標準白色板と同程度の色純度を有し、赤色、緑色、青色とも明るく色純度が良好なカラー表示の反射型液晶表示装置が製作された。
　さらに、図２５に示した本発明の反射型液晶表示装置を、各信号電極４ａと走査電極４ｂの交点の各画素部に印加される電圧が、ＰＮ−ＬＣ５の飽和電圧以上になるような条件で駆動させたところ、明るいペーパーホワイトの白色を背景にし赤色、緑色、青色の３色を組み合わせた種々の美しいカラー表示を得た。
　【０１７５】
　また別のマルチカラー表示例として、色分離層の同一平面上に、デジタル腕時計の７セグメント構成の文字の各セグメントに対応する領域を、上述した色分離層の作製方法と同様な方法で、７種類の異なる色相（赤、緑、青、黄色、赤紫、青緑、橙）の色分離層を形成した。この様に作製した色分離層や液晶パネルおよび反射層３０を使用して、光散乱モードの反射型液晶表示装置を作製し、時計用駆動ＩＣと電池に接続して、図３３に示した様なデジタル腕時計に組み込んだ。このデジタル腕時計の表示状態を観察すると、真綿の様に白い背景に、７セグメント構成の文字の各セグメントがそれぞれ異なった鮮やかな７種類の色で表示されるので、非常にカラフルで明るく楽しく、斬新なデザインの表示となることを確認する事ができた。
　【０１７６】
　以上のように、本発明によれば、明るい白色を背景にしたマルチカラー表示可能な反射型液晶表示装置を実現することができる。
　（実施例１１）
　図２９によりさらに他の本発明の実施例について説明する。図２９は、実施例８同様に基板１に光拡散反射板３を形成した後、表面の凹凸を平滑化するために透明性の高い高分子樹脂をスピンナーにより塗布した。この高分子樹脂７は、カラーフィルターの保護膜に用いられている新日鐵化学製Ｖ２５９−ＰＡや日本合成ゴム製ＳＳ６６９９等のレベリング性のある材料が使用できる。これらの材料は、耐熱性にも優れておりスパッタリングや真空蒸着法による透明電極ＩＴＯ等の成膜性にも適しているため、誘電体薄膜の成膜にも合致する。本実施例では、Ｖ２５９−ＰＡを２μｍ塗布したところ、表面粗さがＲＡ＝１０００からＲＡ＝１５に低下し極めて滑らかな表面になった。
　【０１７７】
　その後、２種類の色分離層パターン２Ｒ、２Ｇおよび透明電極パターン４ａを作成し、実施例１と同様な反射型液晶表示装置を製作した。
　そして、実施例１と同様な製造方法により光変調層５の厚さ８μｍおよび１６μｍの２種類で、図２９示す反射型液晶表示装置を作成した。
　実施例１と同様にして評価用反射型液晶表示装置を作成し、同様に駆動電圧０Ｖと５Ｖを印加して、カラー表示の色レベル（ＣＩＥ１９３１標準表色系のＸＹＺ表色系）を示すｘ、ｙ値と明るさを示すＹ値を測定した結果を表５に示す（測定器はミノルタ製分光測色計ＣＭ２００２で正反射除去モードでの測定）。
　【０１７８】
　【表５】
　【０１７９】
　表５からわかるように、電圧０Ｖ時では標準白色板と同程度の色純度を有し、赤色、緑色とも明るく色純度が良好なカラー表示の反射型液晶表示装置が製作された。
　さらに、図２５に示した本発明の製造方法による反射型液晶表示装置を、各信号電極４ａと走査電極４ｂの交点の各画素部に印加される電圧が、ＰＮ−ＬＣ５の飽和電圧以上になるような条件で駆動させたところ、明るいペーパーホワイトの白色を背景にし赤色、緑色の２色を組み合わせた種々の美しいカラー表示が得られた。
　【０１８０】
　また別のマルチカラー表示例として、色分離層の同一平面上に、デジタル腕時計の７セグメント構成の文字の各セグメントに対応する領域を、上記色分離層の作製方法と同様な方法で、７種類の異なる色相（赤、緑、青、黄色、赤紫、青緑、橙）の色分離層を形成した。この様に作製した色分離層や液晶パネルおよび反射層３０を使用して、光散乱モードの反射型液晶表示装置を作製し、時計用駆動ＩＣと電池に接続して、図３３に示した様なデジタル腕時計に組み込んだ。このデジタル腕時計の表示状態を観察すると、真綿の様に白い背景に、７セグメント構成の文字の各セグメントがそれぞれ異なった鮮やかな７種類の色で表示されるので、非常にカラフルで明るく楽しく、斬新なデザインの表示となることを確認する事ができた。
　【０１８１】
　以上のように、本発明によれば明るい白色を背景にしたマルチカラー表示可能な反射型液晶表示装置を実現することができる。
　ここで、本発明による反射型液晶表示装置とＭＩＭ等の２端子素子やＴＦＴ等の３端子素子との組み合わせば可能であり、表示特性の改善になるということは言うまでもない。
　【０１８２】
　【発明の効果】
　以上説明した様に、本発明の反射型液晶表示装置によれば、電圧制御により光散乱状態を変化させる光変調層と、該光変調層の背後に配置された少なくとも１種類以上の色分離層と、該色分離層の背後に配置された反射層を配置し、さらに光変調層としてポリマーネットワークタイプの高分子分散型液晶層あるいは相転移液晶層を用い、色分離層としてコレステリック液晶ポリマー層あるいは誘電体多層薄膜を用い、反射層として白色拡散反射層を備えた反射型液晶表示装置であるため、電圧無印加の場合は、光変調層がペーパーホワイトの様な散乱状態となるので、非常に輝度の高い白さを実現でき、また、電圧印加の場合は、光変調層が非常に透明な状態となるので、色分離層と反射層の複合作用によって、赤・青・緑色などの任意の色を色純度の高い色として再現でき、良好なコントラストが得られ、高品位な表示品質を実現する反射型液晶表示装置を提供する事ができる。
　【０１８３】
　また、色分離層として、体積ホログラム層を用い、かつ反射層として、アルミニウムや銀などのミラー層を用いた反射型液晶表示装置の場合も、ペーパーホワイトの様な輝度の高い白さと、色純度の優れた色相の高品位な表示品質を実現した反射型液晶表示装置を提供する事ができる。
　また、光変調層としてポリマーネットワークタイプの高分子分散型液晶層ある
いは相転移液晶層を用いるので、良好な散乱特性と大幅な低電圧化が同時に可能となり、低電圧で低消費電力が要求される携帯機器への応用に大変適している。
　【０１８４】
　また、紫外線遮断層と反射防止層を具備しているので、外光の反射による表示内容の視認性の悪さが改善され、且つ、紫外線による液晶の劣化が防止されるので、信頼性の高い反射型液晶表示装置を提供することができる。
　また、反射層として、蓄光特性を有する反射層を用いることにより、周囲環境が明るい時に光エネルギー蓄え、周囲環境が暗い時には、反射層自身が発光して、暗い周囲環境でも表示が視認可能となる省電カタイプの明るい表示状態を実現する反射型液晶表示装置を提供することができる。
　【０１８５】
　また、反射層として、蛍光特性を有する反射層を用いることにより、人間が視認出来ない紫外線等の波長域の光を効率良く可視光域の光に変換し、より一層明るく鮮やかな表示を実現する反射型液晶表示装置を提供することができる。
　また、色分離層としてコレステリック液晶ポリマー層を使用する場合、コレステリック液晶ポリマー層は、他の色分離層の製造コストと比較して、安価な原料と比較的容易な製造プロセスで製造可能であるため、製造コストを大幅に低く抑えて製造する事が可能であるので、反射型液晶表示装置のローコスト化を図ることができる。
　【０１８６】
　また、色分離層として、複数色にパターニングした色分離層を用いることにより、鮮やかで色純度の高いマルチカラー表示を可能とた反射型液晶表示装置をを提供することができる。さらに、製造に必要な装置や製造方法も従来の製造装置や製造方法と基本的に差異はなく、作りやすく経済的な方法でもある。
【図面の簡単な説明】
　　【図１】
　本発明の実施例の光散乱モードの反射型液晶装置の構造を表す断面図。
　　【図２】
　光変調層が光散乱状態の時の表示説明図。
　　【図３】
　光変調層が光透過状態の時の表示説明図
　　【図４】
　コレステリック液晶ポリマー層の反射基本単位Ａを１つ有する色分離層の構造を表す断面図。
　　【図５】
　コレステリック液晶ポリマー層の反射基本単位Ｂを１つ有する色分離層の構造を表す断面図。
　　【図６】
　本発明の実施例の光散乱モードの反射型液晶装置の構造を表す断面図。
　　【図７】
　コレステリック液晶ポリマー層の反射スペクトル図の一例。
　　【図８】
　本発明の実施例の光散乱モードの反射型液晶装置の別構造例を示した断面図。
　　【図９】
　本発明の実施例の光散乱モードの反射型液晶装置の他の構造例を示した断面図。
　　【図１０】
　本発明の光散乱モードの反射型液晶装置の他の構造例を示した断面図。
　　【図１１】
　本発明の光散乱モードの反射型液晶装置の他の構造例を示した断面図。
　　【図１２】
　本発明の実施例の各画素電極毎に選択反射の波長範囲が青（Ｂ）・緑（Ｇ）・赤（Ｒ）に相当する色分離層を裏電極の上面に形成した構造の断面図。
　　【図１３】
　本発明の実施例の各画素電極毎に選択反射の波長範囲が青（Ｂ）・緑（Ｇ）・赤（Ｒ）に相当する色分離層を裏電極の下面に形成した構造の断面図。
　　【図１４】
　緑色光を透過する誘電体多層薄膜の波長−透過率特性を示す特性図。
　　【図１５】
　赤色光を透過する誘電体多層薄膜の波長−透過率特性を示す特性図。
　　【図１６】
　青色光を透過する誘電体多層薄膜の波長−透過率特性を示す特性図。
　　【図１７】
　本発明の反射防止層と紫外線遮断層を配置した透明基板表面の反射スペクトルを表す特性図。
　　【図１８】
　本発明の反射型液晶表示装置の断面図である。
　　【図１９】
　本発明の反射型液晶表示装置の電圧無印加状態の説明図。
　　【図２０】
　本発明の反射型液晶表示装置の電圧印加状態の説明図。
　　【図２１】
　緑色用体積ホログラムの分光反射率を示す図である。
　　【図２２】
　本発明の実施例のブラッグ反射の説明図である。
　　【図２３】
　波長感度曲線を示す図である。
　　【図２４】
　再生光入射角感度曲線を示す図である。
　　【図２５】
　本発明の一実施例を示す反射型液晶表示装置の断面模式図である。
　　【図２６】
　本発明の反射型液晶表示装置の製造方法を示す断面模式図である。
　　【図２７】
　本発明の他の実施例を示す反射型液晶表示装置の断面模式図である。
　　【図２８】
　本発明の他の実施例を示す反射型液晶表示装置の断面模式図である。
　　【図２９】
　本発明の他の実施例を示す反射型液晶表示装置の断面模式図である。
　　【図３０】
　本発明の実施例の赤色分離層の分光特性である。
　　【図３１】
　本発明の実施例の緑色分離層の分光特性である。
　　【図３２】
　本発明の実施例の青色分離層の分光特性である。
　　【図３３】
　本発明の実施例のデジタル腕時計である。
　　【符号の説明】
　　２Ｒ、２Ｇ、２Ｂ　　　　　　　　　　　　　色分離層
　　３　　　　　　　　　　　　　　　　　　　　光拡散反射層
　　５　　　　　　　　　　　　　　　　　　　　高分子分散液晶層
　　１３　　　　　　　　　　　　　　　　　　　光変調層
　　２０、２０Ｒ、２０Ｇ、２０Ｂ　　　　　　　色分離層
　　２０Ａ　　　　　　　　　　　　　　　　　　干渉縞
　　２０Ｂ　　　　　　　　　　　　　　　　　　体積ホログラム
　　２１Ｒ　　　　　　　　　　　　　　　　　　ブラッグ反射層
　　３０　　　　　　　　　　　　　　　　　　　反射層
　　４０　　　　　　　　　　　　　　　　　　　反射防止層
　　４５　　　　　　　　　　　　　　　　　　　紫外線遮断層
　　Ｌ１　　　　　　　　　　　　　　　　　　　入射光
　　Ｌ２　　　　　　　　　　　　　　　　　　　後方散乱光
　　Ｌ３、Ｌ５、Ｌ８、Ｌ１０　　　　　　　　　前方散乱光
　　Ｌ４　　　　　　　　　　　　　　　　　　　反射光
　　Ｌ６　　　　　　　　　　　　　　　　　　　透過光
　　Ｌ７、Ｌ９　　　　　　　　　　　　　　　　拡散反射光